(57)【要約】  累進屈折力レンズの装用時における、装用者から有限距離前方且つ装用者の正中面上の箇所Ｏの物体を視認するときの状態Ａと、前頭面と平行な面であって箇所Ｏを含む面内にて、箇所Ｏと鉛直方向の高さ一定で箇所Ｏの水平方向側方に位置する箇所Ｐの物体を視認するときの状態Ｂとの差Ｖを、累進屈折力レンズに対応する参照用単焦点レンズの装用時又は裸眼相当時における、箇所Ｏの物体を視認するときの状態Ｃと、  箇所Ｐの物体を視認するときの状態Ｄとの差Ｗに近づけるよう、累進屈折力レンズの表面形状を調整する、累進屈折力レンズの設計方法およびその関連技術を提供する。
2020004620.tif 000002
【特許請求の範囲】
【請求項１】
累進屈折力レンズの装用時における、
装用者から有限距離前方且つ装用者の正中面上の箇所Ｏの物体を視認するときの状態Ａと、
前頭面と平行な面であって前記箇所Ｏを含む面内にて、前記箇所Ｏと鉛直方向の高さ一定で前記箇所Ｏの水平方向側方に位置する箇所Ｐの物体を視認するときの状態Ｂとの差Ｖを、
累進屈折力レンズに対応する参照用単焦点レンズの装用時又は裸眼相当時における、
前記箇所Ｏの物体を視認するときの状態Ｃと、
前記箇所Ｐの物体を視認するときの状態Ｄとの差Ｗに近づけるよう、累進屈折力レンズの表面形状を調整する、累進屈折力レンズの設計方法。
【請求項２】
前記差Ｖは、前記状態Ａでの右眼の視線の向きと左眼の視線の向きとの角度差ＶＡと、前記状態Ｂでの右眼の視線の向きと左眼の視線の向きとの角度差ＶＢとの差であり、
前記差Ｗは、前記状態Ｃでの右眼の視線の向きと左眼の視線の向きとの角度差ＷＣと、前記状態Ｄでの右眼の視線の向きと左眼の視線の向きとの角度差ＷＤとの差であり、  
累進屈折力レンズの表面形状を調整して前記状態Ｂでの前記角度差ＶＢを変動させることにより、前記差Ｗからの所定の許容範囲内に前記差Ｖを収める、請求項１に記載の累進屈折力レンズの設計方法。
【請求項３】
装用者の正中面上且つ右眼と左眼の中間位置に回旋中心を設定した統合眼及び統合眼用の累進屈折力レンズを仮想したとき、
前記角度差ＶＡは、前記状態Ａでの、右眼の視線の向きと統合眼の視線の向きとの角度差ＶＡＲと、左眼の視線の向きと統合眼の視線の向きとの角度差ＶＡＬとの差であり、
前記角度差ＶＢは、前記状態Ｂでの、右眼の視線の向きと統合眼の視線の向きとの角度差ＶＢＲと、左眼の視線の向きと統合眼の視線の向きとの角度差ＶＢＬとの差であり、
前記角度差ＷＣは、前記状態Ｃでの、右眼の視線の向きと統合眼の視線の向きとの角度差ＷＣＲと、左眼の視線の向きと統合眼の視線の向きとの角度差ＷＣＬとの差であり、
前記角度差ＷＤは、前記状態Ｄでの、右眼の視線の向きと統合眼の視線の向きとの角度差ＷＤＲと、左眼の視線の向きと統合眼の視線の向きとの角度差ＷＤＬとの差である、請求項２に記載の累進屈折力レンズの設計方法。
【請求項４】
前記角度差ＶＡＲと前記角度差ＶＡＬの比、前記角度差ＶＢＲと前記角度差ＶＢＬの比、前記角度差ＷＣＲと前記角度差ＷＣＬの比、及び前記角度差ＷＤＲと前記角度差ＷＤＬの比の少なくともいずれかに応じ、累進屈折力レンズの表面形状の調整の際の、右眼用の累進屈折力レンズに対する補正量と左眼用の累進屈折力レンズに対する補正量とを按分する、請求項３に記載の累進屈折力レンズの設計方法。
【請求項５】
前記統合眼用の累進屈折力レンズの等価球面度数として、右眼用の累進屈折力レンズの等価球面度数と、左眼用の累進屈折力レンズの等価球面度数との平均値を採用する、請求項３又は４に記載の累進屈折力レンズの設計方法。
【請求項６】
前記差Ｗからの所定の許容範囲は、前記差Ｗの５０％以内である、請求項２〜５のいずれかに記載の累進屈折力レンズの設計方法。
【請求項７】
請求項１〜６のいずれかに記載の累進屈折力レンズの設計方法を行う設計工程と、
設計工程後、累進屈折力レンズを得る加工工程と、
を有する、累進屈折力レンズの製造方法。
【請求項８】
累進屈折力レンズの装用時における、
装用者から有限距離前方且つ装用者の正中面上の箇所Ｏの物体を視認するときの状態Ａと、
前頭面と平行な面であって前記箇所Ｏを含む面内にて、前記箇所Ｏと鉛直方向の高さ一定で前記箇所Ｏの水平方向側方に位置する箇所Ｐの物体を視認するときの状態Ｂとの差Ｖを、
累進屈折力レンズに対応する 参照用単焦点レンズの装用時又は裸眼相当時における、
前記箇所Ｏの物体を視認するときの状態Ｃと、
前記箇所Ｐの物体を視認するときの状態Ｄとの差Ｗに近づけるよう、累進屈折力レンズの表面形状を調整するソフトウェアモジュールを備えた、累進屈折力レンズの設計システム。
【請求項９】
近方視に用いる屈折力を有する近用部と、近方視よりも遠方の物体を見るための屈折力を有する遠用部と、遠用部と近用部との間で屈折力が累進的に変化する累進作用を有する中間部と、を備える累進屈折力レンズであって、
累進作用に起因する不必要なプリズム作用による像の歪み度合いを、累進屈折力レンズに対応する参照用単焦点レンズの装用時又は裸眼相当時における像の歪み度合いに近づけるプリズム作用調整領域を備える、累進屈折力レンズ。
【請求項１０】
前記プリズム作用調整領域は、主注視線から水平方向に外れた側方部の領域を含む、請求項９に記載の累進屈折力レンズ。
【請求項１１】
以下の２つの条件の少なくともいずれかを満たす、請求項９または１０に記載の累進屈折力レンズ。
［条件１］
レンズ水平方向を横軸、加入度で正規化された鉛直方向の表面プリズム差分を縦軸としたときのプロットにおいて、前記近用部における所定の水平断面上での所定箇所αの前記鉛直方向の表面プリズム差分の最大値と最小値の差が０．２［プリズムディオプトリ／ディオプター］以上である。
［条件２］
レンズ水平方向を横軸、加入度で正規化された水平方向の表面プリズム差分を縦軸としたときのプロットにおいて、前記近用部における所定の水平断面上での所定箇所γ内のｘ＝０の位置において、前記水平方向の表面プリズム差分の絶対値が０．２５［プリズムディオプトリ／ディオプター］以上であり、前記所定箇所γ内のｘ＝０の位置は、プリズム参照点の真下または累進屈折力レンズの２つのアライメント基準マークの中点の真下に位置する。
【請求項１２】
前記所定の水平断面の位置は、前記加入度の８５％から１００％が達成される位置である、請求項１１に記載の累進屈折力レンズ。
【発明の詳細な説明】
【技術分野】
【０００１】
本発明は、累進屈折力レンズの設計方法、製造方法、設計システム及び累進屈折力レンズに関する。なお、優先権の基礎となる日本国出願の特願２０１８−１２３７３９の記載内容は全て本明細書にて参照可能である。
【背景技術】
【０００２】
眼鏡レンズにおいては、度数が連続的に変化する部分を備えたものが知られている。このような眼鏡レンズは累進屈折力レンズとも呼ばれる。【０００３】
遠用部及び近用部を備えるいわゆる累進多焦点レンズが例示される。他には、所定の距離を見るための一つの領域から離れるに従って度数が変化する非球面単焦点レンズなどが例示される。【０００４】
例えば、累進多焦点レンズにおいては、遠用部から近用部にかけて度数が連続的に変化する際の基準となる線として主注視線と呼ばれる曲線が設定されている。【０００５】
主注視線とは、装用者が眼鏡レンズを装用して天地方向である鉛直方向の天の方向（上方）から地の方向（下方）、又はその逆方向へと視線を移した際に、眼鏡レンズにおいて視線が通過する頻度が最も高い部分が集まって形成される線を指す。この主注視線は、眼鏡レンズを設計する際の基礎となる部分である。累進屈折力レンズは、この主注視線に沿って、遠用部から近用部にかけて変化する度数が処方情報に定められた度数変化になるように、レンズ形状は設計される。【０００６】
特許文献１には、物体側の面（外面、凸面）と眼球側の面（内面、凹面）とを備える累進屈折力レンズに関する技術が開示されている。具体的には、外面における遠用度数測定位置である遠用基準点での縦横方向の屈折力と、外面における近用度数測定位置である近用基準点での縦横方向の屈折力が所定の関係を満たすよう制御する技術が開示されている。この制御により、累進屈折力レンズに特有であるところの遠近倍率差を低減し、装用者が知覚する歪みを低減することが開示されている。【０００７】
特許文献２には、装用者の輻湊が加味された主注視線が通過する部分において生じ得るアウトプリズムの作用が生じ得ることが開示されている。そして、該アウトプリズムの作用を少なくとも一部相殺するインプリズムの形状を、累進屈折力レンズの主注視線上の、遠用部から近用部の部分に備えさせることが開示されている。それにより、主注視線上のアウトプリズムの作用により大きい輻湊が強いられる状態を、インプリズムの作用により軽減できることが開示されている。
【先行技術文献】
【特許文献】
【０００８】
【特許文献１】国際公開第０３／１００５０５号パンフレット
【特許文献２】国際公開第２０１６／１０４８１１号パンフレット
【発明の概要】
【発明が解決しようとする課題】
【０００９】
本発明者は、以下の累進屈折力レンズに特有の課題について着目した。【００１０】
（奥行方向の歪み）
図１は、天地の天の方向（鉛直上方）から天地の地の方向（鉛直下方）を見たときの、従来の累進屈折力レンズである右眼用レンズ１０Ｒ及び左眼用レンズ１０Ｌ、ならびに、眼鏡レンズ１０を通して見える、装用者にとっての見かけの目標物体面２０の位置を示す概略図である。以降、見かけの目標物体面２０のことを「見かけ面２０」とも称する。【００１１】
従来の累進屈折力レンズの場合、装用者から有限距離前方且つ装用者の正中面（medial plane）上の箇所Ｏの物体を視認するときの状態Ａを仮想する。【００１２】
図２は、装用者から有限距離前方且つ装用者の正中面上の箇所Ｏの物体を視認するときの状態Ａにおいて、累進屈折力レンズを通して見える見かけ面２０の奥行方向の位置が、実際の目標物体面２２の奥行方向に対して手前側に位置する様子を示す概略説明図である。以降、実際の目標物体面２２のことを「実際面２２」とも称する。【００１３】
図２に示すように、実際面２２の奥行方向の位置に対し、見かけ面２０の奥行方向の位置は、手前側に位置する。【００１４】
その一方、前頭面（frontal plane）と平行な面であって箇所Ｏを含む面内にて、箇所Ｏと鉛直方向の高さ一定で箇所Ｏの水平方向側方に位置する箇所Ｐの物体を視認するときの状態Ｂを仮想する。状態Ｂだと、眼鏡レンズ１０を通して見える見かけ面２０の奥行方向の位置は、図１に示すように、先ほどとは逆に、実際面２２の奥行方向に対して奥行側に位置する。【００１５】
つまり、累進屈折力レンズだと、両眼視時の左右眼の輻湊差によって生じる奥行方向の見かけの位置に変化が生じる。しかも、正面の箇所Ｏでの奥行方向の見かけの位置と、その側方の箇所Ｐでの奥行方向の見かけの位置とが異なることが多い。その結果、奥行方向の像の歪みが生じ得る。この像の歪みを解消すれば、快適な装用感が得られる。【００１６】
（上下方向の眼位差）
図３は、水平方向から見たときの、従来の累進屈折力レンズである右眼用レンズ１０Ｒ及び左眼用レンズ１０Ｌを通して近方距離且つ側方にある物体を見たときの、右眼Ｒと左眼Ｌとで上下方向の眼位差が生じている様子を示す図である。【００１７】
図３に示すように、眼鏡レンズを装用して１つの点を注視するとき両眼間で鉛直方向に関して視線の向きの差が生じる場合、装用者は、両眼視の状態で同一視するために鉛直方向に左右で異なる眼位状態へと強制的に移行する。なお、本明細書においては、視線の向きとは眼球側の視線の向きのことを指し、右眼球又は左眼球が向く方向のことを指す。【００１８】
一般的に、人の眼は鉛直方向のプリズム作用の差に対する許容度は狭く、仮に同一視できたとしても不快な装用感を起こし易い。またその程度が装用者の許容度を超える場合、複視として像が知覚されることになる。上下方向の眼位差を解消すれば、このような像の知覚を抑制でき、ひいては快適な装用感が得られる。【００１９】
そこで、本発明の一実施例は、累進作用に起因する不必要なプリズム作用により生じる影響を小さくし、快適な装用感を得る技術を提供することを目的とする。
【課題を解決するための手段】
【００２０】
累進屈折力レンズに特有の課題を解決する方法としては、累進屈折力レンズを装用した時の状態を、単焦点レンズを装用した時の状態又は裸眼相当の状態（後述）へと近づけることが有効である。【００２１】
その一方、この方法に則ると、例えば有限距離側方にある物体を累進屈折力レンズを通して見る状態（後述の「状態Ｂ、累進側方視状態Ｂ」）を、単焦点レンズを通して見る状態又は裸眼相当の状態（後述の「状態Ｄ、参照側方視状態Ｄ」）に近づけるよう、累進屈折力レンズを設計することになる。【００２２】
但し、その場合、累進側方視状態Ｂと参照側方視状態Ｄの差だけに着目してしまうと、本発明の課題の欄にて列挙したような、累進作用に起因する不必要なプリズム作用により生じる要素と、累進作用のうち調節力をサポートするための加入度数に起因する必要なプリズム作用により生じる要素とが混在している状態となる。この「必要なプリズム作用により生じる要素」とは、例えば、調節力をサポートするための加入度数が付加されたレンズを通して見る際に必要となる輻輳量が挙げられる。輻輳量とは、近方距離の物体を見る際に左右眼が内寄りになる度合いを示し、本明細書においては内寄せ量とも称する。なお、本明細書における「内寄せ量」は、片眼における内寄りになる度合いを示すこともあるし、両眼における内寄りになる度合いを示すこともある。【００２３】
累進作用に起因する不必要なプリズム作用により生じる要素と必要なプリズム作用により生じる要素とが混在した状態だと、累進作用に起因する不必要なプリズム作用により生じる影響を選択して小さくするという課題の解決が困難となる。【００２４】
そこで本発明者は、累進屈折力レンズの装用時において、装用者から有限距離前方且つ装用者の正中面上の箇所Ｏの物体を視認するときの状態（後述の状態Ａ、累進正面視状態Ａ）と、先ほどの累進側方視状態Ｂとの差Ｖに着目した。【００２５】
この着目には、累進正面視状態Ａにおける、累進屈折力レンズの累進作用に起因したプリズム作用によって生じる左右眼の輻輳角及び眼位差を解消するのではなく受け入れることに特徴の一つがある。【００２６】
有限距離における正面視状態だと、右眼も左眼も内寄せが生じる。そのため、累進正面視状態Ａにおける奥行方向の歪み及び上下方向の眼位差には、内寄せにより生じる基本的な要素が既に含まれている。そのうえで、正面視状態と側方視状態との差分に着目することにより、内寄せ量により生じる基本的な要素が差し引かれる。言い方を変えると、右眼用の累進屈折力レンズにしても左眼用の累進屈折力レンズにしても、視線が主注視線を通過する際の左右眼の輻湊角及び眼位差は受け入れる。その結果、差Ｖと差Ｗとの差分は、累進作用に起因する不必要なプリズム作用により生じる要素が主に反映された状態となる。つまり、累進作用に起因する不必要なプリズム作用により生じる要素を検討することが可能となる。【００２７】
同様に、単焦点レンズ又は裸眼相当の状態においても、参照正面視状態Ｃと参照側方視状態Ｄとの差Ｗに着目した。そして、この差Ｖを差Ｗに近づけるよう、累進屈折力レンズを設計することにより、累進屈折力レンズを装用した時の状態を、単焦点レンズを装用した時の状態又は裸眼相当の状態へと近づけるという手法を想到した。【００２８】
上記知見に基づきなされたのが以下の態様である。
本発明の第１の態様は、
累進屈折力レンズの装用時における、
装用者から有限距離前方且つ装用者の正中面上の箇所Ｏの物体を視認するときの状態Ａと、
前頭面と平行な面であって箇所Ｏを含む面内にて、箇所Ｏと鉛直方向の高さ一定で箇所Ｏの水平方向側方に位置する箇所Ｐの物体を視認するときの状態Ｂとの差Ｖを、
累進屈折力レンズに対応する参照用単焦点レンズの装用時又は裸眼相当時における、
箇所Ｏの物体を視認するときの状態Ｃと、
箇所Ｐの物体を視認するときの状態Ｄとの差Ｗに近づけるよう、累進屈折力レンズの表面形状を調整する、累進屈折力レンズの設計方法である。【００２９】
本発明の第２の態様は、第１の態様に記載の態様であって、
差Ｖは、状態Ａでの右眼の視線の向きと左眼の視線の向きとの角度差ＶＡと、状態Ｂでの右眼の視線の向きと左眼の視線の向きとの角度差ＶＢとの差であり、
差Ｗは、状態Ｃでの右眼の視線の向きと左眼の視線の向きとの角度差ＷＣと、状態Ｄでの右眼の視線の向きと左眼の視線の向きとの角度差ＷＤとの差であり、  
累進屈折力レンズの表面形状を調整して状態Ｂでの角度差ＶＢを変動させることにより、差Ｗからの所定の許容範囲内に差Ｖを収める。【００３０】
本発明の第３の態様は、第２の態様に記載の態様であって、
装用者の正中面上且つ右眼と左眼の中間位置に回旋中心を設定した統合眼及び統合眼用の累進屈折力レンズを仮想したとき、
角度差ＶＡは、状態Ａでの、右眼の視線の向きと統合眼の視線の向きとの角度差ＶＡＲと、左眼の視線の向きと統合眼の視線の向きとの角度差ＶＡＬとの差であり、
角度差ＶＢは、状態Ｂでの、右眼の視線の向きと統合眼の視線の向きとの角度差ＶＢＲと、左眼の視線の向きと統合眼の視線の向きとの角度差ＶＢＬとの差であり、
角度差ＷＣは、状態Ｃでの、右眼の視線の向きと統合眼の視線の向きとの角度差ＷＣＲと、左眼の視線の向きと統合眼の視線の向きとの角度差ＷＣＬとの差であり、
角度差ＷＤは、状態Ｄでの、右眼の視線の向きと統合眼の視線の向きとの角度差ＷＤＲと、左眼の視線の向きと統合眼の視線の向きとの角度差ＷＤＬとの差である。【００３１】
本発明の第４の態様は、第３の態様に記載の態様であって、
角度差ＶＡＲと角度差ＶＡＬの比、角度差ＶＢＲと角度差ＶＢＬの比、角度差ＷＣＲと角度差ＷＣＬの比、及び角度差ＷＤＲと角度差ＷＤＬの比の少なくともいずれかに応じ、累進屈折力レンズの表面形状の調整の際の、右眼用の累進屈折力レンズに対する補正量と左眼用の累進屈折力レンズに対する補正量とを按分する。【００３２】
本発明の第５の態様は、第３または第４の態様に記載の態様であって、
統合眼用の累進屈折力レンズの等価球面度数として、右眼用の累進屈折力レンズの等価球面度数と、左眼用の累進屈折力レンズの等価球面度数との平均値を採用する。【００３３】
本発明の第６の態様は、第２〜第５の態様のいずれかに記載の態様であって、
差Ｗからの所定の許容範囲は、差Ｗの５０％以内である。【００３４】
本発明の第７の態様は、
第１〜第６のいずれかに記載の累進屈折力レンズの設計方法を行う設計工程と、
設計工程後、累進屈折力レンズを得る加工工程と、
を有する、累進屈折力レンズの製造方法である。【００３５】
本発明の第８の態様は、
累進屈折力レンズの装用時における、
装用者から有限距離前方且つ装用者の正中面上の箇所Ｏの物体を視認するときの状態Ａと、
前頭面と平行な面であって箇所Ｏを含む面内にて、箇所Ｏと鉛直方向の高さ一定で箇所Ｏの水平方向側方に位置する箇所Ｐの物体を視認するときの状態Ｂとの差Ｖを、
累進屈折力レンズに対応する 参照用単焦点レンズの装用時又は裸眼相当時における、
箇所Ｏの物体を視認するときの状態Ｃと、
箇所Ｐの物体を視認するときの状態Ｄとの差Ｗに近づけるよう、累進屈折力レンズの表面形状を調整するソフトウェアモジュールを備えた、累進屈折力レンズの設計システムである。【００３６】
本発明の第９の態様は、
近方視に用いる屈折力を有する近用部と、近方視よりも遠方の物体を見るための屈折力を有する遠用部と、遠用部と近用部との間で屈折力が累進的に変化する累進作用を有する中間部と、を備える累進屈折力レンズであって、
累進作用に起因する不必要なプリズム作用による像の歪み度合いを、累進屈折力レンズに対応する参照用単焦点レンズの装用時又は裸眼相当時における像の歪み度合いに近づけるプリズム作用調整領域を備える、累進屈折力レンズである。【００３７】
本発明の第１０の態様は、第９の態様に記載の態様であって、
プリズム作用調整領域は、主注視線から水平方向に外れた側方部の領域を含む。【００３８】
本発明の第１１の態様は、第９または第１０の態様に記載の態様であって、
以下の２つの条件の少なくともいずれかを満たす。
［条件１］
レンズ水平方向を横軸、加入度で正規化された鉛直方向の表面プリズム差分を縦軸としたときのプロットにおいて、近用部における所定の水平断面上での所定箇所αの鉛直方向の表面プリズム差分の最大値と最小値の差が０．２［プリズムディオプトリ／ディオプター］以上である。
［条件２］
レンズ水平方向を横軸、加入度で正規化された水平方向の表面プリズム差分を縦軸としたときのプロットにおいて、近用部における所定の水平断面上での所定箇所γ内のｘ＝０の位置において、水平方向の表面プリズム差分の絶対値が０．２５［プリズムディオプトリ／ディオプター］以上であり、所定箇所γ内のｘ＝０の位置は、プリズム参照点の真下または累進屈折力レンズの２つのアライメント基準マークの中点の真下に位置する。【００３９】
本発明の第１２の態様は、第１１の態様に記載の態様であって、
所定の水平断面の位置は、加入度の８５％から１００％が達成される位置である。【００４０】
好ましくは、累進屈折力レンズの表面形状を調整して状態Ｂでの角度差ＶＢのみを変動させることにより、差Ｗからの所定の許容範囲内に差Ｖを収める。【００４１】
好ましくは、参照用単焦点レンズの等価球面度数として、累進屈折力レンズの等価球面度数を採用する。【００４２】
好ましくは、プリズム作用を調整する領域は、主注視線から水平方向に外れた側方部の領域を含み、更に好ましくは、主注視線から水平方向に外れた側方部の領域を含み且つ近用部を含む領域をプリズム作用調整領域とする。【００４３】
累進屈折力レンズを、右眼用の累進屈折力レンズと左眼用の累進屈折力レンズとからなる一対の累進屈折力レンズと読み替えてもよい。【００４４】
［条件１］および［条件２］を満たすのが好ましい。【００４５】
なお、以下の条件を満たすことも好ましい。
［条件３］
横軸を視線の向き（ｔａｎθ）、縦軸を奥行き方向位置情報（単位：ディオプター）としたときの、累進屈折力レンズのプロットが、累進屈折力レンズに対応する参照用単焦点レンズの装用時又は裸眼相当時のプロットと交差しない。
【発明の効果】
【００４６】
本発明の一実施例によれば、累進作用に起因する不必要なプリズム作用により生じる影響を小さくし、快適な装用感を得る技術を提供できる。
【図面の簡単な説明】
【００４７】
【図１】図１は、天地の天の方向（鉛直上方）から天地の地の方向（鉛直下方）を見たときの、従来の累進屈折力レンズである右眼用レンズ及び左眼用レンズ、ならびに、累進屈折力レンズを通して見える、装用者にとっての見かけの目標物体面の位置を示す概略図である。
【図２】図２は、装用者から有限距離前方且つ装用者の正中面上の箇所Ｏの物体を視認するときの状態Ａにおいて、従来の累進屈折力レンズを通して見える見かけ面の奥行方向の位置が、実際の目標物体面の奥行方向に対して手前側に位置する様子を示す更なる概略図である。
【図３】図３は、水平方向から見たときの、従来の累進屈折力レンズである右眼用レンズ及び左眼用レンズを通して近方距離且つ側方にある物体を見たときの、右眼と左眼とで上下方向の眼位差が生じている様子を示す概略図である。
【図４Ａ】図４Ａは、鉛直上方から鉛直下方を見たときの、本発明の一態様の設計方法を採用する際の累進正面視状態Ａの両眼の視線の方向を表した図である。
【図４Ｂ】図４Ｂは、鉛直上方から鉛直下方を見たときの、本発明の一態様の設計方法を採用する際の累進側方視状態Ｂの両眼の視線の方向を表した図である。
【図４Ｃ】図４Ｃは、鉛直上方から鉛直下方を見たときの、本発明の一態様の設計方法を採用する際の参照正面視状態Ｃの両眼の視線の方向を表した図である。
【図４Ｄ】図４Ｄは、鉛直上方から鉛直下方を見たときの、本発明の一態様の設計方法を採用する際の参照側方視状態Ｄの両眼の視線の方向を表した図である。
【図５】図５は、目標物体面の一例を示す図である。
【図６】図６は、鉛直上方から鉛直下方を見たときの、本発明の一態様の設計方法を採用した後の累進屈折力レンズである右眼用レンズ及び左眼用レンズ、ならびに、累進屈折力レンズを通して見える、装用者にとっての見かけの目標物体面の位置を示す概略図である。
【図７】図７は、水平方向から見たときの、本発明の一態様の設計方法を採用した後の累進屈折力レンズである右眼用レンズ及び左眼用レンズを通して近方距離且つ側方にある物体を見たときの、右眼と左眼とで上下方向の眼位差が生じていない様子を示す概略図である。
【図８Ａ】図８Ａは、鉛直上方から鉛直下方を見たときの、本発明の一態様の設計方法を採用する際の累進正面視状態Ａの統合眼及び両眼の視線の方向を表した図である。
【図８Ｂ】図８Ｂは、鉛直上方から鉛直下方を見たときの、本発明の一態様の設計方法を採用する際の累進側方視状態Ｂの統合眼及び両眼の視線の方向を表した図である。
【図８Ｃ】図８Ｃは、鉛直上方から鉛直下方を見たときの、本発明の一態様の設計方法を採用する際の参照正面視状態Ｃの統合眼及び両眼の視線の方向を表した図である。
【図８Ｄ】図８Ｄは、鉛直上方から鉛直下方を見たときの、本発明の一態様の設計方法を採用する際の参照側方視状態Ｄの統合眼及び両眼の視線の方向を表した図である。
【図９】図９は、本発明の一態様に係る設計方法で採用する統合眼用の累進屈折力レンズの基本設計を示す面平均度数分布図（左図）及び面非点収差分布図（右図）である。
【図１０】図１０は、鉛直上方から鉛直下方を見たときの、本発明の一態様の設計方法を採用した後の累進屈折力レンズである右眼用レンズ、左眼用レンズ、及び統合眼用レンズ、ならびに、累進屈折力レンズを通して見える、装用者にとっての見かけの目標物体面の位置を示す概略図である。
【図１１】図１１は、本発明の一態様に係る累進屈折力レンズの設計方法を実施するシステムの一例を説明する図である。
【図１２】図１２は、本発明の一態様に係る累進屈折力レンズの設計方法を実施するシステムにおける設計装置の装置構成を示す構成図である。
【図１３】図１３は、本発明の一態様に係る累進屈折力レンズの設計方法のフローを示す図である。
【図１４】図１４は、統合眼用レンズの面非点収差分布に対して内寄せを行いつつ初期設計された右眼用レンズ及び左眼用レンズの面非点収差分布の一例を示す図である。
【図１５】図１５は、左眼用レンズ及び右眼用レンズが累進屈折力レンズであるときの調整前後のレンズ面における面平均度数分布と面非点収差分布の変化の一例を示す図である。
【図１６】図１６は、各実施例の眼鏡レンズ対のうちの右眼用の眼鏡レンズ３００の一例を説明する図である。
【図１７】図１７は、右眼用レンズ３００及び左眼用レンズ４００におけるレンズ表面プリズム屈折力分布から差分値の分布を算出する方法を説明する図である。
【図１８】図１８（ａ）は、眼鏡レンズ対を作製したときの参照用レンズ、実施例１のレンズ、従来のレンズを装用したときの、鉛直方向の両眼間の視線の向きの差、すなわち上下方向の眼位差の分布を示し、横軸は上記視線の向きの水平方向成分を、縦軸は上記視線の向きの鉛直方向成分を表している。図１８（ｂ）は、目標物体面２２の奥行き方向の見かけの位置の変化すなわち奥行方向の歪みを示すグラフであり、縦軸は奥行き方向位置情報［ディオプター］を示し、横軸は水平方向の視線の向き［ｔａｎθ］を示す。
【図１９】図１９（ａ）は、図１８（ｂ）における横軸である水平方向の視線の向きを説明する図である。図１９（ｂ）は、図１８（ｂ）における縦軸である奥行き方向の位置情報を説明する図である。
【図２０】図２０は、実施例１のレンズおよび従来のレンズにおける、水平方向の表面プリズム差分の変化を示す図であり、縦軸は水平方向の表面プリズム差分［プリズムディオプトリ／ディオプター］、横軸はｙ＝−１４ｍｍ上のｘ座標［ｍｍ］を示す。
【図２１】図２１（ａ）は、眼鏡レンズ対を作製したときの参照用レンズ、実施例２のレンズ、従来のレンズを装用したときの、鉛直方向の両眼間の視線の向きの差、すなわち上下方向の眼位差の分布を示し、横軸は上記視線の向きの水平方向成分を、縦軸は上記視線の向きの鉛直方向成分を表している。図２１（ｂ）は、目標物体面２２の奥行き方向の見かけの位置の変化すなわち奥行方向の歪みを示すグラフであり、縦軸は奥行き方向位置情報［ディオプター］を示し、横軸は水平方向の視線の向き［ｔａｎθ］を示す。
【図２２】図２２は、実施例３のレンズおよび従来のレンズにおける、鉛直方向の表面プリズム差分の変化を示す図であり、縦軸は鉛直方向の表面プリズム差分［プリズムディオプトリ／ディオプター］、横軸はｙ＝−１４ｍｍ上のｘ座標［ｍｍ］を示す。
【発明を実施するための形態】
【００４８】
以下、本発明の一態様について述べる。以下における説明は例示であって、本発明は例示された態様に限定されるものではない。
【００４９】
本明細書においては、鉛直方向をＹ方向、水平方向をＸ方向とし、両方向に垂直な方向をＺ方向とする。Ｚ方向は、正面視する方向であって正中面及び前頭面に垂直な方向でもある。
【００５０】
なお、各状態Ａ、Ｂ、Ｃ、Ｄにおける視線の向きは光線追跡法を採用したシミュレーションにより把握可能である。ひいては、レンズ上にて視線が通過する位置も光線追跡法により把握可能である。光線追跡法としては公知の手法を採用すればよいため、詳細は省略する。
【００５１】
［本発明の一態様に係る累進屈折力レンズの設計方法］
本発明の一態様に係る累進屈折力レンズの設計方法の具体的な構成は以下の通りである。
「累進屈折力レンズの装用時における、
装用者から有限距離前方且つ装用者の正中面上の箇所Ｏの物体を視認するときの状態Ａと、
前頭面と平行な面であって箇所Ｏを含む面内にて、箇所Ｏと鉛直方向の高さ一定で箇所Ｏの水平方向側方に位置する箇所Ｐの物体を視認するときの状態Ｂとの差Ｖを、
累進屈折力レンズに対応する参照用単焦点レンズの装用時又は裸眼相当時における、
箇所Ｏの物体を視認するときの状態Ｃと、
箇所Ｐの物体を視認するときの状態Ｄとの差Ｗに近づけるよう、累進屈折力レンズの表面形状を調整する、累進屈折力レンズの設計方法。」
【００５２】
累進屈折力レンズは、レンズの上側部分に設けられた遠方の物体を見るための屈折力を有する部分、すなわち遠方視に用いる屈折力を有する遠用部と、レンズの下側部分に設けられた近方の物体を見るための屈折力を有する部分、すなわち近方視に用いる屈折力を有する近用部、及び遠用部から近用部の間に設けられる中間部を、領域として有し、遠用部から近用部の間で屈折力が徐々に変化するレンズである。
【００５３】
遠用部は、近方距離よりも遠くの距離を見るための領域であれば特に限定は無い。例えば、無限遠ではなく所定距離（４ｍ〜１ｍ）を見るための領域であってもよい。このような領域を備えた眼鏡レンズとしては、中間距離（１ｍ〜４０ｃｍ）ないし近方距離（４０ｃｍ〜１０ｃｍ）の物体距離に対応する中近（intermediate-near）レンズ、該近方距離内にて対応する近近(near-near)レンズが挙げられる。
【００５４】
本発明の一態様は、累進屈折力レンズの装用時の状態を使用する。つまり、右眼用の累進屈折力レンズと左眼用の累進屈折力レンズとからなる一対の累進屈折力レンズを装用して両眼視を行う状態を使用する。一対の累進屈折力レンズを単にレンズ対又は眼鏡レンズ対ともいう。また、右眼用の累進屈折力レンズのことを単に右眼用レンズとも称し、左眼用の累進屈折力レンズのことを単に左眼用レンズとも称する。
【００５５】
図４Ａは、鉛直上方から鉛直下方を見たときの、本発明の一態様の設計方法を採用する際の累進正面視状態Ａの両眼の視線の方向を表した図である。
【００５６】
状態Ａは、装用者から有限距離前方且つ装用者の正中面上の箇所Ｏの物体を視認するときの状態を指す。状態Ａを累進正面視状態Ａともいう。正中面とは、左右相称な動物の体の正中に対し平行に、体を左右に分ける面である。
【００５７】
図５は、目標物体面の一例を示す図である。
【００５８】
有限距離の具体的数値には、特に限定は無い。例えば、４ｍ〜１０ｃｍの範囲内で適宜設定してもよい。また、上方だと装用者からの距離が長く下方だと該距離が短い目標物体面を図５のように適宜設定し、該目標物体面上に箇所Ｏ及び後述の箇所Ｐを設定してもよい。本明細書においては、一例として、箇所Ｏの装用者からの距離が４０ｃｍである場合を例示する。
【００５９】
目標物体面は、鉛直方向下方に位置するにつれて連続的に累進屈折力レンズ１０からの距離が小さくなる部分を有することが好ましい。
【００６０】
図４Ｂは、鉛直上方から鉛直下方を見たときの、本発明の一態様の設計方法を採用する際の累進側方視状態Ｂの両眼の視線の方向を表した図である。
【００６１】
状態Ｂは、前頭面と平行な面であって箇所Ｏを含む面内にて、箇所Ｏと鉛直方向の高さ一定で箇所Ｏの水平方向側方に位置する箇所Ｐの物体を視認するときの状態を指す。状態Ｂを累進側方視状態Ｂともいう。前頭面とは、正中面に垂直な面であって人間の体を腹側と背側に分割する平面であり、水平方向に平行な面である。
【００６２】
そして、累進屈折力レンズの装用時における正面視状態Ａと側方視状態Ｂとの差Ｖを得る。
【００６３】
差Ｖ及び後述の差Ｗは、状態としての差が表現可能なパラメータであれば特に限定は無く、例えば眼位差が挙げられる。
【００６４】
図４Ｃは、鉛直上方から鉛直下方を見たときの、本発明の一態様の設計方法を採用する際の参照正面視状態Ｃの両眼の視線の方向を表した図である。
【００６５】
図４Ｄは、鉛直上方から鉛直下方を見たときの、本発明の一態様の設計方法を採用する際の参照側方視状態Ｄの両眼の視線の方向を表した図である。
【００６６】
その一方で、累進屈折力レンズに対応する参照用単焦点レンズの装用時又は裸眼相当時における、箇所Ｏの物体を視認するときの状態Ｃ（参照正面視状態Ｃ）、及び箇所Ｐの物体を視認するときの状態Ｄ（参照側方視状態Ｄ）を把握する。
【００６７】
参照用単焦点レンズに関してであるが、右眼用の累進屈折力レンズに対する右眼用の参照用単焦点レンズを想定し、左眼用の累進屈折力レンズに対する左眼用の参照用単焦点レンズを想定する。以降、参照用単焦点レンズについては同様とする。また、参照用単焦点レンズのことを単に参照用レンズと称することもある。
【００６８】
累進屈折力レンズの累進成分以外の基本性能を備えたレンズであれば参照用単焦点レンズの具体的構成に特に限定は無い。該レンズは、具体的には、同じ球面度数Ｓ、好ましくは、乱視度数Ｃを加味した等価球面度数（Ｓ＋Ｃ／２）である。以降、参照用単焦点レンズにおいては、累進屈折力レンズにおける等価球面度数を採用する場合を例示する。
【００６９】
また、参照用単焦点レンズとしては、例えば、乱視矯正のための非球面レンズ又は軸外収差を低減するための非球面レンズであってもよい。但し、参照用単焦点レンズは、実際面２２の像の歪みを抑制する際の参照対象（目標）となるため、像の歪みは小さいことが好ましい。そのため、参照用単焦点レンズとしては、球面レンズである方が好ましい。また、同様の理由で、参照用単焦点レンズとしては、プリズム度数Δがゼロであるのが好ましい。Δは、プリズム度数の単位であり、１ｍ光線が進行する際に光線進行方向に対して垂直方向に１ｃｍ光線が偏位することを指す。
【００７０】
ちなみに、装用者情報の処方データは、累進屈折力レンズのレンズ袋に記載されている。つまり、レンズ袋があれば、装用者情報の処方データに基づいた累進屈折力レンズの物としての特定が可能である。そして、累進屈折力レンズはレンズ袋とセットになっていることが通常である。そのため、レンズ袋が付属した累進屈折力レンズも本発明の技術的思想が反映されているし、レンズ袋と累進屈折力レンズとのセットについても同様である。
【００７１】
「裸眼相当時」とは、裸眼の状態を含むし、球面度数がゼロのレンズいわゆるゼロ度数レンズの装用時も含む。
【００７２】
そして、参照用単焦点レンズの装用時又は裸眼相当時における正面視状態Ｃと側方視状態Ｄとの差Ｗを得る。
【００７３】
そして、累進屈折力レンズの装用時の差Ｖを、参照用単焦点レンズの装用時又は裸眼相当時の差Ｗに近づけるよう、累進屈折力レンズを設計する。
【００７４】
具体的な設計手法には特に限定は無い。例えば、レンズ面の曲率を許容された範囲内で調整しながらレンズ面の勾配を調整することによりプリズム作用を調整することにより、差Ｖを差Ｗに近づけてもよい。より具体的には、レンズ上に調整点を複数設定し、各調整点における鉛直方向及び水平方向のプリズムを変更させることにより、差Ｖを差Ｗに近づけてもよい。
【００７５】
プリズム作用を調整する領域は、主に累進屈折力レンズ上の主注視線を含まない領域とするのが好ましい。プリズム作用調整領域としては、例えば、主注視線から水平方向に外れた側方部の領域を含むのが好ましい。
【００７６】
なお、主注視線は、眼鏡レンズにおいて視線が通過する部分が集まって形成される線を指す。そして、本発明の一態様においては、説明の便宜上、累進屈折力レンズにおける主注視線を、遠用度数測定点と近用度数測定点とを結ぶ線として定義する。またこの定義は、実用上、実際のレンズの主注視線の位置を特定する際にも適用できる。
【００７７】
ただ、もちろん、本発明の一態様では、累進屈折力レンズの装用時において、装用者から有限距離前方且つ装用者の正中面上の箇所Ｏの物体を視認するときの状態（後述の状態Ａ、累進正面視状態Ａ）と、先ほどの累進側方視状態Ｂとの差Ｖに着目したことに基づき種々の態様が創出されている。その着目自体には、主注視線の形状（直線、曲線問わず）に限定は無い。そもそも、装用者に応じて主注視線の形状が変化する場合があることを鑑みると、本発明の一態様の眼鏡レンズを構成するものとして主注視線そのものの形状および位置を一義的に規定する必要はない。
【００７８】
主注視線から水平方向に外れた側方部をプリズム作用調整領域とする場合、累進屈折力レンズの処方情報として与えられた遠用基準点における球面度数Ｓや円柱度数Ｃ、及び近用基準点における加入度に影響を与えることなくプリズム作用を調整することが可能となる。また、近用部を含む領域をプリズム作用調整領域とするのも好ましい。また、主注視線から水平方向に外れた側方部の領域であり且つ近用部を含む領域をプリズム作用調整領域とするのも好ましい。
【００７９】
図６は、鉛直上方から鉛直下方を見たときの、本発明の一態様の設計方法を採用した後の累進屈折力レンズである右眼用レンズ及び左眼用レンズ、ならびに、累進屈折力レンズを通して見える、装用者にとっての見かけの目標物体面の位置を示す概略図である。
【００８０】
図７は、水平方向から見たときの、本発明の一態様の設計方法を採用した後の累進屈折力レンズである右眼用レンズ１０Ｒ及び左眼用レンズ１０Ｌを通して近方距離且つ側方にある物体を見たときの、右眼Ｒと左眼Ｌとで上下方向の眼位差が生じていない様子を示す概略図である。
【００８１】
課題の欄で述べた（奥行方向の歪み）に関しては、図６に示すように、箇所Ｏの物体を見る累進正面視状態Ａだと、実際面と見かけ面とで、奥行方向にずれが生じる。しかしながら、手段の欄にて述べたように、本発明の一態様では累進正面視状態Ａの左右眼の輻湊角及び眼位差は受け入れる。そのため、このずれ自体は予測されたずれである。その一方、累進側方視状態Ｂだと、累進正面視状態Ａでの奥行方向のずれが維持されている。つまり、正面視と側方視との間に、奥行方向のずれは無くなる又は殆ど無くなる。
【００８２】
課題の欄で述べた（上下方向の眼位差）に関しては、図７に示すように、本発明の一態様に係る設計方法を採用する場合、差Ｖを差Ｗに近づけたため、側方視での上下方向の眼位差は無くなる又は殆ど無くなる。
【００８３】
その結果、本発明の一態様ならば、累進作用に起因する不必要なプリズム作用により生じる影響を小さくし、快適な装用感が得られる。特に、累進屈折力レンズの中間部を通して見たときの中間視及び近用部を通して見たときの近方視の際の快適な装用感が得られる。
【００８４】
［本発明の一態様に係る累進屈折力レンズの設計方法の詳細］
以下、本発明の一態様の更なる具体例、好適例及び変形例について説明する。
【００８５】
差Ｖは、状態Ａでの右眼の視線の向きと左眼の視線の向きとの角度差ＶＡと、状態Ｂでの右眼の視線の向きと左眼の視線の向きとの角度差ＶＢとの差であり、
差Ｗは、状態Ｃでの右眼の視線の向きと左眼の視線の向きとの角度差ＷＣと、状態Ｄでの右眼の視線の向きと左眼の視線の向きとの角度差ＷＤとの差である。
【００８６】
角度差ＶＡ、角度差ＶＢ、角度差ＷＣ、及び角度差ＷＤは、基本的には、累進屈折力レンズの表面形状のプリズム作用によって生じる、水平方向及び鉛直方向のベクトル成分を合成した眼位差である。その一方、各角度差ＶＡ、ＶＢ、ＶＣ、ＶＤの鉛直方向のベクトル成分のみを採用して鉛直方向眼位差を設定してもよい。逆に、水平方向のベクトル成分のみを採用して水平方向眼位差を設定してもよい。
【００８７】
課題にて述べた（上下方向の眼位差）の観点を鑑みると、該眼位差には鉛直方向における眼位差を含むのが好ましい。つまり、水平方向及び鉛直方向のベクトル成分を合成した眼位差を設定、又は、各角度差ＶＡ、ＶＢ、ＶＣ、ＶＤの鉛直方向のベクトル成分のみを採用して鉛直方向眼位差を設定するのが好ましい。
【００８８】
各角度差ＶＡ、ＶＢ、ＶＣ、ＶＤにより表される眼位差を差Ｖ、差Ｗの基として使用することにより、課題にて述べた（奥行方向の歪み）（上下方向の眼位差）が解決されていることを直接的に把握可能となるため、好ましい。
【００８９】
そのうえで、累進屈折力レンズの表面形状を調整して状態Ｂでの角度差ＶＢを変動させることにより、差Ｗからの所定の許容範囲内に差Ｖを収めてもよい。
【００９０】
なお、本明細書における「差」の値がマイナスの場合、絶対値を該差の値とする。
【００９１】
この所定の許容範囲としては、例えば差Ｗの５０％以内（０．５Ｗ≦Ｖ≦１．５Ｗ）であってもよく、４０％以内だとより好ましく、３０％以内だと更に好ましい。下限としては特に限定は無いが、例えば５％、１０％が挙げられる。
【００９２】
眼位差を差Ｖ、差Ｗの基として使用しつつ、累進屈折力レンズの装用時と参照用単焦点レンズの装用時又は裸眼相当時とを対比する場合を想定する。
【００９３】
なお、視線の向きは、例えば、右眼用レンズ、左眼用レンズ、右眼用参照用単焦点レンズ、左眼用参照用単焦点レンズ、及び統合眼用レンズ（後述）を通して正面視する方向であって正中面及び前頭面に垂直なＺ方向に対する傾斜角度で表すことも可能である。
【００９４】
累進屈折力レンズの装用時における累進正面視状態Ａは、手段の欄にて述べたように、（奥行方向の歪み）（上下方向の眼位差）が生じていたとしても本発明の一態様では受け入れる。これは、累進屈折力レンズにおける状態Ａの設計を変化させなくとも済むことを意味する。もちろん、該設計を変化させることを本発明から除外するものではない。
【００９５】
また、参照用単焦点レンズの装用時又は裸眼相当時の参照正面視状態Ｃ及び参照側方視状態Ｄは、参照用単焦点レンズの装用時又は裸眼相当時であり、設計は変更させなくとも済む。もちろん、該設計を変化させることを本発明から除外するものではない。
【００９６】
その結果、累進屈折力レンズの装用時における累進側方視状態Ｂでの角度差ＶＢのみを変動させれば、差Ｗからの所定の許容範囲内に差Ｖを収めることが可能となり、作業の手間が大きく省ける。具体的な効果としては、所定の加入度数ＡＤＤを満たすように設計することが容易化される。また、箇所Ｏにおける奥行方向の位置がレンズ表面形状の調整で変化しない。そのため、適切なレンズ表面形状を得ることが容易化される。
【００９７】
装用者の正中面上且つ右眼と左眼の中間位置に回旋中心を設定した統合眼（cyclops eye）及び統合眼用の累進屈折力レンズを仮想するのも好ましい。
【００９８】
図８Ａは、鉛直上方から鉛直下方を見たときの、本発明の一態様の設計方法を採用する際の累進正面視状態Ａの統合眼及び両眼の視線の方向を表した図である。
【００９９】
図８Ｂは、鉛直上方から鉛直下方を見たときの、本発明の一態様の設計方法を採用する際の累進側方視状態Ｂの統合眼及び両眼の視線の方向を表した図である。
【０１００】
図８Ｃは、鉛直上方から鉛直下方を見たときの、本発明の一態様の設計方法を採用する際の参照正面視状態Ｃの統合眼及び両眼の視線の方向を表した図である。
【０１０１】
図８Ｄは、鉛直上方から鉛直下方を見たときの、本発明の一態様の設計方法を採用する際の参照側方視状態Ｄの統合眼及び両眼の視線の方向を表した図である。
【０１０２】
統合眼用の累進屈折力レンズの光学性能としては、右眼用の累進屈折力レンズと左眼用の累進屈折力レンズとでパラメータ（球面度数Ｓ、乱視度数Ｃ、等価球面度数（Ｓ＋Ｃ／２）、プリズム度数Δ、加入度数ＡＤＤ、累進帯長、内寄せ量等々）が同じ場合は、同じ値のパラメータを採用すればよい。その場合、右眼用の累進屈折力レンズ又は左眼用の累進屈折力レンズのいずれかのみを設計し、もう一方の眼用の累進屈折力レンズは、設計した累進屈折力レンズの分布図が左右対称となるよう設計してもよい。
【０１０３】
説明の簡素化のため、本明細書に記載の具体例はこの場合を採用し、等価球面度数（Ｓ＋Ｃ／２）を採用している。そして、右眼用レンズと左眼用レンズにおける等価球面度数の平均値を統合眼用レンズのパラメータとして採用している。また、乱視度数Ｃ及びプリズム度数Δはゼロに設定している。参照用単焦点レンズでの乱視度数Ｃ及びプリズム度数Δをゼロと設定するのが好ましいと同様、統合眼用レンズにしても像の歪みは小さいことが好ましいためである。
【０１０４】
なお、右眼用レンズと左眼用レンズとでパラメータが異なる場合は、各パラメータにおいて両者の平均値を採用してもよい。例えば、右眼用レンズの等価球面度数と、左眼用レンズの等価球面度数との平均値を、統合眼用レンズの等価球面度数として設定してもよい。
【０１０５】
なお、右眼用の参照用単焦点レンズと左眼用の参照単焦点レンズに対する統合眼用単焦点レンズのパラメータの決定方法は、上記の累進屈折力レンズにおける統合眼用レンズのパラメータの決定方法と同様であってもよい。例えば、右眼用の参照用単焦点レンズの等価球面度数と、左眼用の参照単焦点レンズの等価球面度数との平均値を採用してもよい。
【０１０６】
図９は、本発明の一態様に係る設計方法で採用する統合眼用レンズの基本設計を示す面平均度数分布図（左図）及び面非点収差分布図（右図）である。
【０１０７】
図９に示す各分布図の原点は、眼鏡レンズ中心２４０、すなわちプリズム測定点を示す。紙面中の上下方向はレンズ面の鉛直方向を、紙面中の左右方向はレンズ面の水平方向を示す。分布図は、６０ｍｍ四方である。面非点収差及び面平均度数の等高線は０．２５Ｄ［ディオプター］間隔で描かれている。本段落に記載の内容は、以降に登場する分布図においても同様とする。
【０１０８】
図９には、遠用基準点２２０、近用基準点２３０が示されている。また、眼鏡レンズにおける隠しマーク３０２，３０４の位置も示されている。
【０１０９】
図９に示す面平均度数分布には、遠用基準点２２０における度数には、処方情報に含まれる球面度数Ｓが設定される。近用基準点２３０の度数には、遠用基準点２３０の球面度数Ｓに処方情報に記載の加入度ＡＤＤが加算された度数が設定される。
【０１１０】
本明細書において、面平均度数分布は、レンズ面各位置における各方向の曲率のうち最大の曲率と、最小の曲率との平均値に、レンズ材料の屈折率を掛けた値の分布である。
【０１１１】
本明細書において、面非点収差分布は、レンズ面各位置における各方向の曲率のうち最大の曲率と最小の曲率の差分に、レンズ材料の屈折率を掛けた値の分布である。
【０１１２】
なお、図９に示す両分布図は、レンズ面に関する図である。図９に示す面平均度数分布図だと、遠用の面平均度数を＋４．００Ｄ、近用の面平均度数を＋６．００Ｄ、加入度数ＡＤＤを２．００Ｄに設定しており、物体側の面である外面に両分布図を反映させることを想定している。以降に記載の実施例においても同様としている。
【０１１３】
但し、本明細書の具体例はあくまで一例であり、眼球側の面である内面に該量分布図を反映させた形状を備えさせてもよいし、両面を累進面として該両分布図をもたらす累進成分を両面に分配して両面形状を設計してもよい。その場合、眼球側の面である内面は球面形状を採用してもよいし、軸外収差等を低減させる非球面形状を採用してもよい。
【０１１４】
統合眼を仮想することにより多くの利点が得られる。以下、この利点について説明する。
【０１１５】
右眼用レンズにしても左眼用レンズにしても、内寄せ量が加味された状態で設計がなされる。この内寄せ量は、処方された球面度数、円柱度数、加入度、プリズム度数、瞳孔間距離、等によって変化する。また、内寄せ量が設けられることにより主注視線が鼻側に移動する。それに伴い、近用基準点２３０も水平方向の一方の側に移動する。
【０１１６】
その一方、統合眼は右眼と左眼の中間位置に回旋中心が設定されているため、内寄せ量を加味せずに済む。つまり、図９に示すように、統合眼用レンズだと、主注視線が子午線と一致する。
【０１１７】
なお、子午線は、累進屈折力レンズに設けられた２つの隠しマークの位置の中点を通る鉛直方向の線でもある。また、子午線は、該分布図のＹ軸でもある。
【０１１８】
つまり、統合眼用レンズの平均屈折力分布図及び非点収差分布図は、右眼用レンズ及び左眼用レンズの該分布図に比べてシンプルとなる。
【０１１９】
これは、累進屈折力レンズでの差Ｖを、参照用単焦点レンズ又は裸眼相当の状態での差Ｗに近づける際に有用である。大元となる統合眼用レンズの平均屈折力分布図及び非点収差分布図をまずは変化させる。そのうえで左右眼の内寄せ量を加味した設計を左右眼用の各累進屈折力レンズにて行い（例えば後述の図１４）、その設計を基に、差Ｖが差Ｗに近づいたかどうかを検討すれば済むようになる（利点１）。
【０１２０】
この（利点１）は、左右眼で処方が異なる累進屈折力レンズである場合に特に重宝される。なぜなら、左右眼で処方が異なる場合であっても、大元となる統合眼用レンズの平均屈折力分布図及び非点収差分布図をまずは変化させ、そのうえで左右眼各々の処方の違いを加味した設計を左右眼用の各累進屈折力レンズにて行えばよいためである。最初から左右眼各々の処方の違いと内寄せ量を加味した状態で、左右眼用の各累進屈折力レンズに対して設計変更を行うことに比べると、上記本発明の一態様の手法は相当手間が省ける。
【０１２１】
更に、統合眼用レンズの平均屈折力分布図及び非点収差分布図を大元とするため、この統合眼用レンズと右眼用レンズとの差（例：眼位差）を把握できる、という利点がある。同様に、統合眼用レンズと左眼用レンズとの差も把握できる（利点２）。
【０１２２】
上記の構成をまとめると以下の表現になる。
「角度差ＶＡは、図８Ａに示す累進正面視状態Ａでの、右眼の視線の向きと統合眼の視線の向きとの角度差ＶＡＲと、左眼の視線の向きと統合眼の視線の向きとの角度差ＶＡＬとの差であり、
角度差ＶＢは、図８Ｂに示す累進側方視状態Ｂでの、右眼の視線の向きと統合眼の視線の向きとの角度差ＶＢＲと、左眼の視線の向きと統合眼の視線の向きとの角度差ＶＢＬとの差であり、
角度差ＷＣは、図８Ｃに示す参照正面視状態Ｃでの、右眼の視線の向きと統合眼の視線の向きとの角度差ＷＣＲと、左眼の視線の向きと統合眼の視線の向きとの角度差ＷＣＬとの差であり、
角度差ＷＤは、図８Ｄに示す参照側方視状態Ｄでの、右眼の視線の向きと統合眼の視線の向きとの角度差ＷＤＲと、左眼の視線の向きと統合眼の視線の向きとの角度差ＷＤＬとの差である。」
【０１２３】
図１０は、鉛直上方から鉛直下方を見たときの、本発明の一態様の設計方法を採用した後の累進屈折力レンズである右眼用レンズ、左眼用レンズ、及び統合眼用レンズ、ならびに、累進屈折力レンズを通して見える、装用者にとっての見かけの目標物体面の位置を示す概略図である。
【０１２４】
課題の欄で述べた（奥行方向の歪み）に関しては、統合眼を採用する場合も、採用しない場合の図６と同様、正面視と側方視との間に、奥行方向のずれは無くなる又は殆ど無くなる。
【０１２５】
課題の欄で述べた（上下方向の眼位差）に関しては、統合眼を採用する場合も、採用しない場合の図７と同様、側方視での上下方向の眼位差は無くなる又は殆ど無くなる。統合眼を採用する場合の図７に対応する図は、図７と同内容であるため省略する。
【０１２６】
なお、（利点２）により、累進屈折力レンズの表面形状の調整の際の、右眼用レンズに対する補正量と左眼用レンズに対する補正量とを、両差に応じて変化させられる。この構成の一具体例は以下の表現になる。
「角度差ＶＡＲと角度差ＶＡＬの比、角度差ＶＢＲと角度差ＶＢＬの比、角度差ＷＣＲと角度差ＷＣＬの比、及び角度差ＷＤＲと角度差ＷＤＬの比の少なくともいずれかに応じ、累進屈折力レンズの表面形状の調整の際の、右眼用の累進屈折力レンズに対する補正量と左眼用の累進屈折力レンズに対する補正量とを按分する。」
【０１２７】
なお、累進屈折力レンズの装用時における累進側方視状態Ｂでの角度差ＶＢのみを変動させれば、差Ｗからの所定の許容範囲内に差Ｖを収めることが可能となるという知見に基づく場合、各比のうち、角度差ＶＢＲと角度差ＶＢＬの比に応じ、補正量を按分するのが好ましい。また、厳密に該比に応じて補正量を按分するのではなく、何らかの重み付けして補正量の按分を行ってもよい。
【０１２８】
また、（利点２）により、例えば、右眼用レンズと左眼用レンズとで別々に本発明の一態様を適用することが可能となる。以下、一例を挙げる。
【０１２９】
図８Ａに示す累進正面視状態Ａでの、右眼の視線の向きと統合眼の視線の向きとの角度差ＶＡＲと、図８Ｂに示す累進側方視状態Ｂでの、右眼の視線の向きと統合眼の視線の向きとの角度差ＶＢＲとの差ＶＲを得る。
同様に、図８Ｃに示す参照正面視状態Ｃでの、右眼の視線の向きと統合眼の視線の向きとの角度差ＷＣＲと、図８Ｄに示す参照側方視状態Ｄでの、右眼の視線の向きと統合眼の視線の向きとの角度差ＷＤＲとの差ＷＲを得る。
そして、差ＶＲが差ＷＲに近づくように累進屈折力レンズを設計する。これにより、右眼用レンズは、累進作用に起因する不必要なプリズム作用により生じる影響が小さくなる。
【０１３０】
左眼用レンズについても全く同様に累進屈折力レンズを設計することにより、左眼用レンズは、累進作用に起因する不必要なプリズム作用により生じる影響が小さくなる。
【０１３１】
この手法では、統合眼用レンズとの角度差に基づき、右眼用レンズと左眼用レンズの各々に対して本発明の一態様を適用している。そのため、より厳密に、累進作用に起因する不必要なプリズム作用により生じる影響を小さくすることができる。その結果、より快適な装用感が得られる。
【０１３２】
［本発明の一態様に係る累進屈折力レンズの設計方法の変形例］
本発明の一態様では、累進正面視状態Ａと累進側方視状態Ｂとの差Ｖを把握し、参照正面視状態Ｃと参照側方視状態Ｄとの差Ｗを把握し、差Ｖが差Ｗに近づくようにレンズ表面形状を設計する場合を例示した。
【０１３３】
この場合の概要を数式として表現すると、（Ａ−Ｂ）−（Ｃ−Ｄ）となる。その一方、この数式は、（Ａ−Ｃ）−（Ｂ−Ｄ）とも記載可能である。
【０１３４】
つまり、累進正面視状態Ａと参照正面視状態Ｃとの差Ｖ´を把握し、累進側方視状態Ｂと参照正面視状態Ｄとの差Ｗ´を把握し、差Ｗ´が差Ｖ´に近づくようにレンズ表面形状を設計することも可能である。また、累進側方視状態Ｂでの角度差ＶＢを変動させることにより、差Ｖ´からの所定の許容範囲に差Ｗ´を収めることも可能である。この所定の許容範囲の好適例は、［本発明の一態様に係る累進屈折力レンズの設計方法の詳細］で述べた範囲と同様である。
【０１３５】
但し、この変形例を採用した場合でも、上記の数式が示すように、結果的に、差Ｖを差Ｗに近づけることには変わりがないし、差Ｗからの所定の許容範囲内に差Ｖを収めることには変わりがない。つまり、［本発明の一態様に係る累進屈折力レンズの設計方法］及び［本発明の一態様に係る累進屈折力レンズの設計方法の詳細］にて述べた構成に、この変形例も含まれる。
【０１３６】
なお、本発明の一態様のように、累進正面視状態Ａと累進側方視状態Ｂとの差Ｖ、参照正面視状態Ｃと参照側方視状態Ｄとの差Ｗという組み合わせを採用することにより、差Ｗには参照用単焦点レンズのみが反映されることになる。すなわち、差Ｗには目指すべき目標としての値のみが反映されることになる。この差Ｗに、累進屈折力レンズのみが反映された差Ｖを近づけることにより、本発明の効果を奏させることが可能になる。そのため、差Ｖ及び差Ｗを採用するのが好ましい。
【０１３７】
なお、（Ａ＋Ｄ）−（Ｂ＋Ｃ）とも記載可能であるが、差Ｗに、目指すべき目標としての値のみを反映させる点を鑑みると、（Ａ−Ｂ）−（Ｃ−Ｄ）を基に考えるのが好ましい。
【０１３８】
［本発明の一態様に係る累進屈折力レンズの設計方法の一具体例（システム）］
以下、上記の累進屈折力レンズの設計方法をシステムに応用した一具体例を記載する。本例では統合眼を採用する場合について例示する。なお、これまでに述べた内容と重複する内容については記載を省略する。また、本例では右眼用レンズと左眼用レンズとを設計する場合を例示するため、説明の便宜上、両レンズをまとめてレンズ対と表現する場合もある。また、参照用単焦点レンズを参照用レンズ、統合眼用レンズを統合レンズと表現する場合もある。
【０１３９】
図１１は、本発明の一態様に係る累進屈折力レンズの設計方法を実施するシステムの一例を説明する図である。
【０１４０】
図１１に示すシステム５０は、複数の眼鏡店端末と、眼鏡レンズである累進屈折力レンズの眼鏡レンズ対設計装置（以降、設計装置又はコンピュータ装置ともいう）６０と、を備える。なお、以下の構成は図示しない制御部により制御されている。
【０１４１】
眼鏡店端末は、図１１では、眼鏡店端末５２と、眼鏡店端末５４とが例示されている。眼鏡店端末５２，５４は、図１１に示す例ではＷＡＮ（Wide Area Network）あるいはインターネットを介して設計装置６０と接続されている。設計装置６０は、レンズ加工装置５６と接続されており、設計装置６０で設計された累進屈折力レンズの設計情報がレンズ加工装置５６に送られる。レンズ加工装置５６では、設計情報に基づいてレンズ面の加工が行われることで、累進屈折力レンズが作製される。
【０１４２】
眼鏡店端末５２では、顧客の累進屈折力レンズを作製するための情報が入力され、ＷＡＮあるいはインターネットを介して設計装置６０に送られる。設計装置６０は、送信された情報を用いて、累進屈折力レンズ１０を設計する。
【０１４３】
累進屈折力レンズ１０を作製するための情報は、累進屈折力レンズ１０を装用することが予定されている装用者の眼に関する処方情報、累進屈折力レンズの製品情報、及び累進屈折力レンズを装着するフレーム情報を少なくとも含む。
【０１４４】
処方情報は、例えば、右眼用レンズ１０Ｒ及び左眼用レンズ１０Ｌの遠用基準点における球面度数（平均度数ともいう）Ｓ、遠用基準点における円柱度数Ｃ、乱視軸Ａｘ、累進屈折力レンズにおける加入度ＡＤＤ、プリズム度数及び基底方向、瞳孔間距離ＰＤ、装用者の視知覚に関する生理的特徴量、視環境等の情報を含む。
【０１４５】
製品情報は、レンズに関する設計タイプの情報、累進帯長の情報、レンズ径の情報、レンズ肉厚の情報等を含む。設計タイプは、例えば、累進屈折力レンズの場合、遠方視重視のレンズか、あるいは近方重視のレンズか、また、ハード設計のレンズか、あるいはソフト設計のレンズか、等の情報である。
【０１４６】
フレーム情報は、フレーム玉型の形状、サイズ、フレーム材質、アイポイントの位置、フレーム前傾角、フレーム反り角、頂点間距離等の各種情報を含む。
【０１４７】
図１２は、本発明の一態様に係る累進屈折力レンズの設計方法を実施するシステムにおける設計装置の装置構成を示す構成図である。
【０１４８】
設計装置６０は、ＣＰＵ６２、ＲＯＭ６４、ＲＡＭ６６、通信部６８を備えるコンピュータで構成されている。通信部６８は、眼鏡店端末５２，５４とＷＡＮあるいはインターネットを介して接続される。
【０１４９】
すなわち、コンピュータが、設計装置６０として累進屈折力レンズの作製方法を実行する。設計装置６０には、マウスやキーボード等の入力操作部７０と、ディスプレイ７１が接続されている。ディスプレイ７１に表示される入力画面に従って、オペレータが入力操作部７０を介してパラメータや情報を入力することにより、後述する設計を実行することができる。
【０１５０】
設計装置６０は、ＲＯＭ６４に記憶されたプログラムを呼び出してＣＰＵ６２がプログラムを実行することにより、ソフトウェアモジュール７２が形成され有効化される。
【０１５１】
ソフトウェアモジュール７２は、統合レンズ設計部７２ａ、目標物体面設定部７２ｂ、レンズ対設計部７２ｃ、参照用レンズ設計部７２ｄ、視線計算部７２ｅ、判定部７２ｆ、表面形状調整部７２ｇ、及びレンズ表面設計部７２ｈ、を含む。
【０１５２】
統合レンズ設計部７２ａは、図１０に示す統合眼１２Ｍ及び統合眼用レンズ１０Ｍを設計し、図９に示す統合眼用レンズ１０Ｍの面平均度数分布及び面非点収差分布を作成する。
【０１５３】
目標物体面設定部７２ｂは、累進屈折力レンズ１０から有限距離離れた目標物体面２２（実際面２２）を装用者が注視する際の該有限距離を定め、実際面２２を設定する部分である。
【０１５４】
レンズ対設計部７２ｃは、上述の処方情報に基づいて右眼用レンズ及び左眼用レンズの初期設計をする部分である。一例としては、処方情報に基づいて定めたレンズ表面形状を初期設計とする。
【０１５５】
参照用レンズ設計部７２ｄは、参照用単焦点レンズを設計する。本例においては、単焦点レンズ且つ累進屈折力レンズと同じ等価球面度数（Ｓ＋Ｃ／２）を採用した参照点単焦点レンズを設計する場合を例示する。
【０１５６】
なお、参照用単焦点レンズの代わりに球面度数がゼロのレンズいわゆるゼロ度数レンズを使用する場合も、参照用レンズ設計部７２ｄを使用して構わない。また、裸眼の状態を採用する場合、参照用レンズ設計部７２ｄは使用せずともよい。もちろん、裸眼の状態を採用する場合であっても、差Ｗを得るための他の各部は使用する。
【０１５７】
視線計算部７２ｅは、初期設計した累進屈折力レンズである右眼用レンズ及び左眼用レンズを通して実際面２２上の箇所Ｏ（図８Ａ、図８Ｃ）及びその側方の箇所Ｐ（図８Ｂ、図８Ｄ）を注視するときの右眼１２Ｒの視線の向きと左眼１２Ｌの視線の向きとを計算する部分である。
【０１５８】
視線計算部７２ｅは、また、図１０に示す統合眼１２Ｍ及び統合眼用レンズ１０Ｍを通して実際面２２上の箇所Ｏ及びその側方の箇所Ｐを注視するときの統合眼１２Ｍの視線の向きを計算する。
【０１５９】
視線計算部７２ｅは、また、右眼用及び左眼用の参照用単焦点レンズを通して実際面２２上の箇所Ｏ及びその側方の箇所Ｐを注視するときの右眼１２Ｒの視線の向きと左眼１２Ｌの視線の向きとを計算する。
【０１６０】
判定部７２ｆは、差Ｖが差Ｗに近づいたか否かを判定する。例えば、差Ｗからの所定の許容範囲内に差Ｖが収まったか否かを判定する。
【０１６１】
表面形状調整部７２ｇは、判定部７２ｆがＮＧの判定結果を出した場合、初期設計した右眼用レンズ及び左眼用レンズのレンズ表面形状を調整する。
【０１６２】
こうして、設計装置６０は、判定部７２ｆがＯＫの判定結果を出すまで、表面形状調整部７２ｇ、視線計算部７２ｅを用いてレンズ表面形状の調整を行う。
【０１６３】
レンズ表面設計部７２ｈは、判定部７２ｆがＯＫの判定結果を出したレンズ表面形状を用いて、両側のレンズ面における表面設計を具体的に行う。
【０１６４】
なお、眼球側のレンズ面に加入度を付加した累進成分を含める内面累進屈折力レンズとするか、眼球側と反対側のレンズ面に加入度を付加した累進成分を含める外面累進屈折力レンズとするか、累進成分を、眼球側のレンズ面と眼球側と反対側のレンズ面の両面に配分した両面累進屈折力レンズとするかは、適宜選択可能である。
【０１６５】
図１３は、本発明の一態様に係る累進屈折力レンズの設計方法のフローを示す図である。
【０１６６】
まず、設計装置６０は、眼鏡店端末５２，５４等から、累進屈折力レンズ１０の作製の注文を受ける（ステップＳ１０）。この注文には、累進屈折力レンズ１０を注文する装用者の処方情報、製品情報、及びフレーム情報が含まれる。
【０１６７】
統合レンズ設計部７２ａは、受けた注文に含まれる処方情報を用いて、更には、製品情報を用いて統合眼１２Ｍを仮想する。そして、図９に示すように、統合眼１２Ｍ用の統合眼用レンズ１０Ｍを設計する（ステップＳ１２）。
【０１６８】
次に、目標物体面設定部７２ｂは、有限距離を定めて目標物体面２２（実際面２２）を設定する（ステップＳ１４）。
【０１６９】
図１４は、統合眼用レンズの面非点収差分布に対して内寄せを行いつつ初期設計された右眼用レンズ２１０Ｒ及び左眼用レンズ２１０Ｌの面非点収差分布の一例を示す図である。
【０１７０】
次に、レンズ対設計部７２ｃは、右眼用及び左眼用の累進屈折力レンズの初期設計を行う（ステップＳ１６）。また、レンズ対設計部７２ｃは、図１４に示すように、統合眼用レンズ１０Ｍに対して内寄せを行って面平均度数分布及び面非点収差分布を作成する。
【０１７１】
必要に応じて、レンズ対設計部７２ｃは、右眼や左眼の円柱度数Ｃや加入度ＡＤＤに応じて、初期設計された右眼用及び左眼用レンズの面平均度数分布及び面非点収差分布の修正を加え、この修正結果を実現するレンズ表面形状を定める。
【０１７２】
次に、視線計算部７２ｅは、統合眼用レンズ１０Ｍを通して統合眼１２Ｍが、実際面２２上において装用者からの所定距離（例えば４０ｃｍ）に対応する部分を見るとき、統合眼１２Ｍの視線が到達する実際面２２上の箇所Ｐを算出する（ステップＳ１８）。なお、箇所Ｏの位置座標は、所定距離を４０ｃｍと定めた段階で把握可能である。繰り返しになるが、箇所Ｐは、箇所Ｏと鉛直方向の高さ一定で箇所Ｏの水平方向側方に位置する箇所である。
【０１７３】
箇所Ｐの算出方法としては、具体的には、統合眼１２Ｍの視線の向きを正面視のＺ方向（奥行方向）に対して傾斜角度θを与えて変化させて、そのときの視線が到達する実際面２２上の箇所Ｐの位置座標を算出する。
【０１７４】
なお、傾斜角度θを変化させることにより、図５の目標物体面２０での装用者からの所定距離４０ｃｍに相当する部分において水平方向に箇所Ｐを複数算出可能である（例えば箇所Ｐ１、Ｐ２、Ｐ３・・・、まとめてＰと表現する）。算出された各箇所Ｐにて、以降に述べる、右眼、左眼及び統合眼の視線の向きの計算を行う。
【０１７５】
このとき、視線は、統合眼用レンズ１０Ｍのプリズム作用により屈折する。この屈折量は、統合眼用レンズ１０Ｍのどの部分を通過するかによって変化する。Ｚ方向に対する統合眼の視線の傾斜角度と箇所Ｐの位置座標は、ＲＡＭ６６に記憶される。
【０１７６】
次に、視線計算部７２ｅは、初期設計された右眼用レンズ２１０Ｒ及び左眼用レンズ２１０Ｌを通して、右眼１２Ｒ及び左眼１２Ｌが実際面２２上の各箇所Ｐを注視するときの右眼１２Ｒ及び左眼１２Ｌの眼球側の視線の向きを、統合眼用レンズにおける視線の向きと同様の手法で計算する（ステップＳ２０）。そして、Ｚ方向に対する右眼１２Ｒ及び左眼１２Ｌの視線の傾斜角度と箇所Ｐの位置座標は、ＲＡＭ６６に記憶される。
【０１７７】
次に、視線計算部７２ｅは、正中面上の箇所Ｏを注視するときの右眼１２Ｒ、左眼１２Ｌ、及び統合眼の視線の向きを、箇所Ｐに対する視線の向きと同様の手法で計算する（ステップＳ２２）。Ｚ方向に対する右眼１２Ｒ、左眼１２Ｌ、及び統合眼の視線の傾斜角度はＲＡＭ６６に記憶される。
【０１７８】
その一方で、参照用レンズ設計部７２ｄは、右眼用の参照用単焦点レンズ及び左眼用の参照用単焦点レンズを設計する（ステップＳ２６）。このステップは、設計装置６０においてステップＳ１６〜２４が実行される間に、あるいは、ステップＳ１６〜２４が実行される前、あるいは、ステップＳ１６〜２４が実行された後に行えばよい。
【０１７９】
次に、視線計算部７２ｅは、統合眼用単焦点レンズ３０Ｍを通して統合眼１２Ｍが実際面２２を見るとき、統合眼１２Ｍの視線が実際面２２に到達する箇所Ｐを算出する（ステップＳ２８）。このステップは、上述したステップＳ１８と同じであるので、この処理は省略してもよい。ステップＳ２８は、ステップＳ１８と同様の処理を行うので、その説明は省略する。
【０１８０】
更に、視線計算部７２ｅは、参照用単焦点レンズを通して実際面２２上の点を注視するときの視線であって、実際面２２上の各箇所Ｐに対応する右眼１２Ｒ、左眼１２Ｌ、及び統合眼１２Ｍの視線の向きを計算する（ステップＳ３０）。
【０１８１】
更に、視線計算部７２ｅは、実際面２２上の箇所Ｏを参照用単焦点レンズ３０Ｌ，３０Ｒを通して注視するときの、右眼１２Ｒと左眼１２Ｌの視線の向きを計算する（ステップＳ３２）。具体的には、視線計算部７２ｅは、Ｚ方向に対する左眼１２Ｌ及び右眼１２Ｒの視線の傾斜角度を計算する。箇所Ｏの位置座標と、計算した左眼１２Ｌ及び右眼１２Ｒの視線の傾斜角度はＲＡＭ６６に記憶される。
【０１８２】
なお、ステップＳ１６〜Ｓ２２と、ステップＳ２６〜ステップ３２の順番は特に制限はない。また、ステップＳ１６の次にステップＳ２６を行い、その後、ステップ１８を行い、その後、ステップＳ２８、ステップＳ２０、ステップＳ３０、・・・と交互に行ってもよい。  また、ステップＳ１４とステップＳ１６，２６の処理の順番は、入れ替えてもよい。
【０１８３】
判定部７２ｆは、ＲＡＭ６６から記憶した各視線の向きを示す傾斜角度と箇所Ｏの位置座標とを呼び出して、各視線の向きの差を算出して判定を行う（ステップＳ３４）。この判定は、各箇所Ｐに対して行う。
【０１８４】
更に、所定距離を４０ｃｍから変化させ、同様の作業を行い、箇所Ｏの把握、各箇所Ｐの算出、ならびに、右眼、左眼及び統合眼の視線の向きの計算を行ってもよい。その場合、判定部７２ｆにおいて、所定距離を４０ｃｍから変化させた場合の各箇所Ｐに対しても判定を行う。
【０１８５】
判定部７２ｆがＮＧの判定結果を出した場合、表面形状調整部７２ｇは、初期設計した左眼用レンズ２１０Ｌ及び右眼用レンズ２１０Ｒのレンズ表面形状を調整する（ステップＳ３６）。
【０１８６】
判定部７２ｆが全ての箇所Ｐに対してＯＫの判定結果を出した場合、調整されたレンズ表面形状が、最終的な累進屈折力レンズ１０に用いるレンズ表面形状と定められる。
【０１８７】
図１５は、左眼用レンズ２１０Ｌ及び右眼用レンズ２１０Ｒが累進屈折力レンズであるときの調整前後のレンズ面における面平均度数分布と面非点収差分布の変化の一例を示す図である。
【０１８８】
最後に、レンズ表面設計部７２ｈは、判定部７２ｆがＯＫの判定結果を出した際のレンズ表面形状（図１５の分布図を備えた表面形状）に基づいて、累進屈折力レンズの両面において表面設計を行う（ステップＳ３８）。
【０１８９】
こうして、両面の表面設計の情報が、レンズ加工装置５６に送られて、実際の累進屈折力レンズ１０が作製される。
【０１９０】
［本発明の一態様に係る累進屈折力レンズの設計システム］
本発明は、累進屈折力レンズの設計システムとしても技術的意義がある。その具体的な構成は以下のとおりである。なお、以降、本発明の一態様に係る種々のカテゴリーは、これまでに述べた好適例を適宜組み合わせてもよい。
「累進屈折力レンズの装用時における、
装用者から有限距離前方且つ装用者の正中面上の箇所Ｏの物体を視認するときの状態Ａと、
前頭面と平行な面であって箇所Ｏを含む面内にて、箇所Ｏと鉛直方向の高さ一定で箇所Ｏの水平方向側方に位置する箇所Ｐの物体を視認するときの状態Ｂとの差Ｖを、
累進屈折力レンズに対応する 参照用単焦点レンズの装用時又は裸眼相当時における、
箇所Ｏの物体を視認するときの状態Ｃと、
箇所Ｐの物体を視認するときの状態Ｄとの差Ｗに近づけるよう、累進屈折力レンズの表面形状を調整するソフトウェアモジュールを備えた、累進屈折力レンズの設計システム。」
【０１９１】
［本発明の一態様に係る累進屈折力レンズの設計システムに係るプログラム］
本発明は、累進屈折力レンズの設計システムに係るプログラム（以降、単にプログラムとも称する。）としても技術的意義がある。その具体的な構成は以下のとおりである。
「累進屈折力レンズの装用時における、
装用者から有限距離前方且つ装用者の正中面上の箇所Ｏの物体を視認するときの状態Ａと、
前頭面と平行な面であって箇所Ｏを含む面内にて、箇所Ｏと鉛直方向の高さ一定で箇所Ｏの水平方向側方に位置する箇所Ｐの物体を視認するときの状態Ｂとの差Ｖを、
累進屈折力レンズに対応する 参照用単焦点レンズの装用時又は裸眼相当時における、
箇所Ｏの物体を視認するときの状態Ｃと、
箇所Ｐの物体を視認するときの状態Ｄとの差Ｗに近づけるよう、累進屈折力レンズの表面形状を調整するようコンピュータ（ソフトウェアモジュール）を機能させる、累進屈折力レンズの設計システムに係るプログラム。」
【０１９２】
［本発明の一態様に係る累進屈折力レンズの製造方法］
本発明の一態様に係る累進屈折力レンズの製造方法は、これまでに説明した累進屈折力レンズの設計方法を行う設計工程と、該設計工程後、累進屈折力レンズを得る加工工程と、を有する。具体的な製造方法の内容は、公知の内容を採用すればよい。
【０１９３】
［本発明の一態様に係る累進屈折力レンズ］
本発明は、累進屈折力レンズとしても技術的意義がある。その具体的な構成は以下のとおりである。
「近方視に用いる屈折力を有する近用部と、近方視よりも遠方の物体を見るための屈折力を有する遠用部と、遠用部と近用部との間で屈折力が累進的に変化する累進作用を有する中間部と、を備える累進屈折力レンズであって、
累進作用に起因する不必要なプリズム作用による像の歪み度合いを、累進屈折力レンズに対応する参照用単焦点レンズの装用時又は裸眼相当時における像の歪み度合いに近づけるプリズム作用調整領域を備える、累進屈折力レンズ。」
【０１９４】
「累進作用に起因する不必要なプリズム作用による像の歪み度合い」とは、［本発明の一態様に係る累進屈折力レンズの設計方法］に関して説明した内容のうち、例えば、奥行方向の歪みおよび／または上下方向の眼位差が該当する。
【０１９５】
「累進作用に起因する不必要なプリズム作用による像の歪み度合いを、累進屈折力レンズに対応する参照用単焦点レンズの装用時又は裸眼相当時における像の歪み度合いに近づける」とは、［本発明の一態様に係る累進屈折力レンズの設計方法の詳細］でいうところの、差Ｖが差Ｗに近づくようにレンズ表面形状が設計された状態を指す。
【０１９６】
プリズム作用調整領域は、主注視線から水平方向に外れた側方部の領域を含むのが好ましい。
【０１９７】
また、所定の水平断面の位置は、加入度の８５％から１００％が達成される位置であるのが好ましい。
【０１９８】
また、本発明の一態様に係る累進屈折力レンズは、以下の２つの条件のうち少なくともいずれかを満たすのが好ましく、いずれの条件も満たすのがより好ましい。
【０１９９】
［条件１］
レンズ水平方向を横軸、加入度で正規化された鉛直方向の表面プリズム差分を縦軸としたときのプロットにおいて、近用部における所定の水平断面上での所定箇所αの鉛直方向の表面プリズム差分の最大値と最小値の差が０．２［プリズムディオプトリ／ディオプター］以上である。
【０２００】
［条件２］
レンズ水平方向を横軸、加入度で正規化された水平方向の表面プリズム差分を縦軸としたときのプロットにおいて、近用部における所定の水平断面上での所定箇所γ内のｘ＝０の位置において、水平方向の表面プリズム差分の絶対値が０．２５［プリズムディオプトリ／ディオプター］以上である。なお、所定箇所γ内のｘ＝０の位置は、プリズム参照点の真下または累進屈折力レンズの２つのアライメント基準マークの中点の真下に位置する。また、ｘ＝０は、プリズム参照点または該中点を含む鉛直線である。本明細書における表面プリズム差分に係るプロットのｘ＝０の設定は、以降同様とする。
【０２０１】
［条件１］についてであるが、これは主に上下方向の眼位差の低減に関係する条件である。本発明の一態様が一対の累進屈折力レンズである場合、該一対の累進屈折力レンズを通して物体を視認する。その際に右眼の視線が通過する右眼用レンズ上の箇所αの鉛直方向のプリズム度数と、左眼の視線が通過する左眼用レンズ上の箇所βの鉛直方向のプリズム度数との差を鉛直方向の表面プリズム差分とする。
【０２０２】
一対の累進屈折力レンズを使用する場合の、鉛直方向の表面プリズム差分を得る方法は以下のとおりである。なお、本明細書において「加入度で正規化」とは、レンズ表面プリズム屈折力を該レンズに設定された加入度で除することを表す。そして、本明細書におけるプリズム度数（プリズム屈折力）の具体的な数値限定に関しては全て加入度により正規化された値とする。例えば、「加入度で正規化された鉛直方向の表面プリズム差分」とは、下の段落の記載を例に説明すると、「所定箇所αにおける、加入度で正規化された鉛直方向のプリズム度数（表面プリズム屈折力）から、所定箇所βにおける、加入度で正規化された鉛直方向のプリズム度数（表面プリズム屈折力）を差し引いた値」を意味する。
【０２０３】
（一対の累進屈折力レンズを使用する場合の、鉛直方向の表面プリズム差分を得る方法）
１．原点を累進屈折力レンズ上の２つの隠しマークの中点とし、累進屈折力レンズに対して加入度で正規化されたレンズ表面プリズム屈折力分布において、右眼用レンズでの（近用基準点を含みうるｙ＝−１４ｍｍにて）主注視線から水平方向ｘに距離ｄだけ離れた所定箇所αを特定する。
２．左眼用レンズでの（近用基準点を含みうるｙ＝−１４ｍｍにて）主注視線から上記水平方向ｘの逆方向−ｘに距離ｄだけ離れた所定箇所βを特定する。
３．所定箇所αにおける鉛直方向のプリズム度数から所定箇所βにおける鉛直方向のプリズム度数を差し引いた値を、所定箇所αにおける鉛直方向の表面プリズム差分とする。
【０２０４】
なお、一対の累進屈折力レンズでなく、一枚の累進屈折力レンズであったとしても、左右レンズにおいて処方度数が同じである場合、［条件１］を規定可能である。なぜなら、左右レンズにおいて処方度数が同じである場合、右眼用レンズを鏡面対称（後述の図１７に示すように正面視だと左右対称）とすることにより左眼用レンズとなり、一枚の累進屈折力レンズ上において、所定領域αと所定領域βを設定できるためである。この考えに則って創出されたのが下記の表現である。
【０２０５】
（一枚の累進屈折力レンズを使用する場合の、鉛直方向の表面プリズム差分を得る方法）
１．原点を累進屈折力レンズ上の２つの隠しマークの中点とし、累進屈折力レンズに対して加入度で正規化されたレンズ表面プリズム屈折力分布において、所定箇所αの、主注視線から離れる水平方向ｘおよび距離ｄを特定する。
２．方向ｘの逆方向−ｘへと所定箇所αから距離２ｄ離れた所定箇所βを特定する。
３．所定箇所αにおける鉛直方向のプリズム度数から所定箇所βにおける鉛直方向のプリズム度数を差し引いた値を、所定箇所αにおける鉛直方向の表面プリズム差分とする。
【０２０６】
実施例３にて示すように、横軸をレンズ水平方向、縦軸を鉛直方向の表面プリズム差分としたときのプロットにおいて、鉛直方向の表面プリズム差分の最大値と最小値の差が０．２［プリズムディオプトリ／ディオプター］以上である累進屈折力レンズは、従来の累進屈折力レンズにはない特徴である。なぜなら、上下方向の眼位差を低減すべく、本発明の一態様では、意図的にこのように設定されているためである。
【０２０７】
［条件２］についてであるが、これは主に奥行方向の歪みの低減に関係する条件である。本発明の一態様が一対の累進屈折力レンズである場合、該一対の累進屈折力レンズを通して物体を視認する。その際に右眼の視線が通過する右眼用レンズ上の箇所γの水平方向のプリズム度数と、左眼の視線が通過する左眼用レンズ上の箇所δの水平方向のプリズム度数との差を水平方向の表面プリズム差分とする。
【０２０８】
一対の累進屈折力レンズを使用する場合の、水平方向の表面プリズム差分を得る方法は以下のとおりである。
【０２０９】
（一対の累進屈折力レンズを使用する場合の、鉛直方向の表面プリズム差分を得る方法）
１．原点を累進屈折力レンズ上の２つの隠しマークの中点とし、累進屈折力レンズに対して加入度で正規化されたレンズ表面プリズム屈折力分布において、近用部における所定の水平断面上での所定箇所γ（例えばｙ＝−１４ｍｍ且つｘ＝０）を特定する。
２．左眼用レンズでの近用部における所定の水平断面上での所定箇所δ（例えばｙ＝−１４ｍｍ且つｘ＝０）を特定する。
３．所定箇所γにおける水平方向のプリズム度数から所定箇所δにおける水平方向のプリズム度数を差し引いた値を、水平方向の表面プリズム差分とする。
【０２１０】
なお、一対の累進屈折力レンズでなく、一枚の累進屈折力レンズであったとしても、左右レンズにおいて処方度数が同じである場合、［条件２］を規定可能である。なぜなら、左右レンズにおいて処方度数が同じである場合、右眼用レンズを左右対称とすることにより左眼用レンズとなり、一枚の累進屈折力レンズ上において、所定領域γと所定領域δを設定できるためである。この考えに則って創出されたのが下記の表現である。
【０２１１】
（一枚の累進屈折力レンズを使用する場合の、水平方向の表面プリズム差分を得る方法）
１．原点を累進屈折力レンズ上の２つの隠しマークの中点とし、累進屈折力レンズに対して加入度で正規化されたレンズ表面プリズム屈折力分布において、近用部における所定の水平断面上での所定箇所γ（例えばｙ＝−１４ｍｍ且つｘ＝０）を特定する。
２．所定箇所γにおける水平方向のプリズム度数の２倍の値の絶対値を、所定箇所γにおける水平方向の表面プリズム差分とする。
【０２１２】
左右レンズにおいて処方度数が同じである場合、左右レンズ形状は鏡面対称形状となる。もし、右眼用レンズにおいてｙ＝−１４ｍｍ且つｘ＝０での水平方向のプリズム度数を０．１５［プリズムディオプトリ］とした場合、左眼用レンズの同部分での水平方向のプリズム度数は−０．１５［プリズムディオプトリ］となる。その結果、水平方向の表面プリズム差分の絶対値は０．３０［プリズムディオプトリ］となる。
【０２１３】
後述の実施例１にて示すように、ｙ＝−１４ｍｍにおけるｘ＝０の部分での水平方向の表面プリズム差分の絶対値が０．２５［プリズムディオプトリ／ディオプター］以上である累進屈折力レンズは、従来の累進屈折力レンズにはない特徴である。なぜなら、奥行方向の歪みを低減すべく、本発明の一態様では、意図的にこのように設定されているためである。
【０２１４】
なお、以下の条件を満たすことも好ましい。
［条件３］
横軸を視線の向き（ｔａｎθ）、縦軸を奥行き方向位置情報（単位：ディオプター）としたときの、累進屈折力レンズのプロットが、累進屈折力レンズに対応する参照用単焦点レンズの装用時又は裸眼相当時のプロットと交差しない。
【０２１５】
［条件３］についてであるが、これは主に奥行方向の歪みの低減に関係する条件である。そのため、同じく奥行方向の歪みの低減に関係する条件に係る［条件２］に代えて［条件３］を適用してもよいし、［条件２］［条件３］共に適用してもよい。後述の実施例１が示すように、横軸を視線の向き（ｔａｎθ）、縦軸を奥行き方向位置情報（単位：ディオプター）としたときの、累進屈折力レンズのプロットが、累進屈折力レンズに対応する参照用単焦点レンズの装用時又は裸眼相当時のプロットと交差しないということは、以下の内容を示す。
【０２１６】
すなわち、視線の向きによらず、参照用レンズか本発明の一態様のレンズかどちらかは、もう一方のレンズと比べたとき、レンズを介して得られる物体の像が、常に奥行き方向または手前方向のいずれかに存在することを表す。これは、奥行方向の歪みの低減に寄与する。その結果、累進作用に起因する不必要なプリズム作用により生じる影響を小さくし、快適な装用感が得られる。
【実施例】
【０２１７】
次に実施例を示し、本発明について具体的に説明する。もちろん本発明は、以下の実施例に限定されるものではない。【０２１８】
（各実施例共通）
以降の実施例においては、一対の累進屈折力レンズ（以降、眼鏡レンズ対）を作製した。  各実施例で作製される眼鏡レンズ対は、以下の構成を有する。【０２１９】
すなわち、右眼用レンズと左眼用レンズからなる累進屈折力レンズ対は、
累進屈折力レンズ対の右眼用レンズと左眼用レンズは、遠くを見るための度数が設定された遠用部と、近くを見るために遠用度数に加入度が付加された近用度数が設定された部分を含む近用部と、遠用部と近用部の間で度数が累進的に変化する中間部と、を備える。【０２２０】
このとき、右眼用レンズと左眼用レンズは、眼鏡レンズのプリズム作用、具体的には左眼用レンズ及び右眼用レンズのプリズム作用の差によって生じる像の歪みを、遠用度数あるいは近用度数に基づいて設定される参照用レンズのレンズ表面形状のプリズム作用、具体的にはプリズム作用の差によって生じる像の歪みに近似させるプリズム調整領域を備える。【０２２１】
プリズム調整領域は、近用度数を実現する領域を含み、右眼用レンズ及び左眼用レンズそれぞれのレンズの近用基準点、及び近用基準点を通る水平線上の、右眼用レンズと左眼用レンズそれぞれのレンズに設けられている２つの隠しマークの中点を通る鉛直線以外の領域を含む。【０２２２】
図１６は、各実施例の眼鏡レンズ対のうちの右眼用の眼鏡レンズ３００の一例を説明する図である。【０２２３】
図１６には、隠しマーク３０２，３０４が示されている。隠しマーク３０２，３０４は、ＪＩＳで規定されており、アライメント基準マークである。隠しマーク３０２，３０４は、レンズ中心から水平方向に１７ｍｍ離れた２点に設けられている。したがって、眼鏡レンズ３００の水平方向及びこれに直交する鉛直方向は、隠しマーク３０２，３０４によって決定することができる。隠しマーク３０２，３０４の中点３０６は、眼鏡レンズ３００の中心に一致する。中点３０６を鉛直方向に主注視線が通過する。【０２２４】
近用基準点３０８は、中点３０６から鉛直下方向にかつ水平方向の鼻側に移動した位置にあり、通常は製造業者によって規定される。例えば、球面度数Ｓが０．００Ｄであり、加入度ＡＤＤが２．５０Ｄである、累進帯長１４ｍｍの累進屈折力レンズの場合、近用基準点３０８は、中点３０６から鉛直下方向に１４ｍｍかつ水平方向の鼻側に２．５ｍｍ移動した位置にある。【０２２５】
プリズム調整領域は、近用度数（遠用部の球面度数Ｓに加入度ＡＤＤを付加した度数）を実現する領域（近用度数測定円）を含み、近用基準点３０８、及び近用基準点３０８を通る水平線ＨＬ上の、中点３０６を通る鉛直線ＶＬ以外の左右の領域を含む。この領域は、近用部の一部分で、下側の側方を見るときに使用する部分であるので、左眼及び右眼おのおのの視線に対するプリズム作用の差による奥行方向の像の歪みが生じ易い。このため、プリズム調整領域は、水平線ＨＬ上の鉛直線ＶＬ以外の左右の領域を含む。【０２２６】
また、本発明の一態様によれば、プリズム調整領域は、近用基準点を含むことが好ましい。近用基準点では、加入度ＡＤＤもしくは製造業者が表示する参照加入度が１００％であり、特に、近用基準点を含む周辺の領域ではプリズム作用の差によって生じる奥行方向の像の歪みや不快な装用感を感じ易いため、プリズム調整領域が近用基準点を含むことが好ましい。【０２２７】
図１７は、右眼用レンズ３００及び左眼用レンズ４００におけるレンズ表面プリズム屈折力分布から差分値の分布を算出する方法を説明する図である。【０２２８】
ここで、加入度ＡＤＤで正規化されたレンズ表面プリズム屈折力分布に注目する。加入度ＡＤＤで正規化されたレンズ表面プリズム屈折力は、一枚のレンズの両側のレンズ面のうち一方の表面において、鉛直方向における傾斜×（レンズ材料の屈折率−１）×１００［プリズムディオプトリ］／加入度ＡＤＤ［ディオプター］として定義する。傾斜は、無次元の値である。【０２２９】
右眼用レンズ３００と左眼用レンズ４００の、加入度ＡＤＤで正規化されたレンズ表面プリズム屈折力分布において、レンズ表面プリズム屈折力分布の原点を中点３０６とする。【０２３０】
さらに、正規化されたレンズ表面プリズム屈折力分布において、右眼用レンズ３００と左眼用レンズ４００の近用部における、水平断面上での右眼用レンズ３００のレンズ表面プリズム屈折力分布の鉛直方向の成分と、左眼用レンズ４１０のレンズ表面プリズム屈折力分布の鉛直方向の成分との間の差分値（鉛直方向の表面プリズム差分のこと、以降同様）の分布を、原点（中点３０６、中点４０６）を通る鉛直線を境にして、第１の領域と第２の領域に分割する。近用部は、例えば、近用基準点３０８，４０８を中心として鉛直方向上側及び下側に、所定の距離離れた範囲内の領域３１０，４１０とすることができる。所定の距離とは、例えば２．５〜４ｍｍの範囲内の距離である。【０２３１】
ここで、差分値は、原点（中点３０６、中点４０６）から水平方向の同じ側（右側あるいは左側）に同じ距離はなれた位置３１２，４１２における正規化されたレンズ表面プリズム屈折力の値の差分である。例えば、右眼用レンズ３００の正規化されたレンズ表面プリズム屈折力分布の値から、左眼用レンズ４００の正規化されたレンズ表面プリズム屈折力分布の値を差し引く。【０２３２】
したがって、第１の領域は、例えば、右眼用レンズ３００の原点（中点３０６）を通る鉛直線から右側の領域における差分値、具体的には原点（中点３０６、中点４０６）から水平方向の右側に同じ距離だけ離れた位置３１２，４１２における値の差分値である。第２の領域は、例えば、右眼用レンズ３００の原点（中点３０６）を通る鉛直線から左側の領域における差分値、具体的には原点（中点３０６、中点４０６）から水平方向の左側に同じ距離はなれた位置３１３，４１３における値の差分値である。【０２３３】
右眼用レンズ３００と左眼用レンズ４００は、このように定めた差分値の分布の第１の領域と第２の領域のうち、一方の領域の最小差分値と他方の領域の最大差分値の差の絶対値が０．２［プリズムディオプトリ／ディオプター］以上となるプリズム調整領域を有する。この規定は、［本発明の一態様に係る累進屈折力レンズ］で述べた［条件１］に該当する。つまり、各実施例では［条件１］を満たした眼鏡レンズ対を作製している。【０２３４】
ここでは鉛直方向の表面プリズム差分を例示したが、水平方向の表面プリズム差分も同様の手法で得られる。【０２３５】
なお、具体的なデータとして［条件１］を満たすことを実施例３にて示す。また、各実施例に係る眼鏡レンズ対が［条件２］も満たすことは、実施例１にて示す。【０２３６】
（実施例１）
実施例１に示すグラフ等における縦軸および横軸等の説明は、別実施例での同種の図においても同内容であるため、別実施例での記載を省略する。本明細書における「グラフ」は「プロット」と読み替えても差し支えない。【０２３７】
眼鏡レンズ対を作製するための処方情報のうち球面度数Ｓは０．００Ｄ[ディオプター]とし、加入度ＡＤＤは２．５０Ｄ[ディオプター]とし、累進帯長を１４ｍｍとし、屈折率は１．６０とした。【０２３８】
遠用基準点は、眼鏡レンズ中心２４０から鉛直上方向に８ｍｍ移動した位置とし、近用基準点は、眼鏡レンズ中心２４０から鉛直下方向に１４ｍｍかつ水平方向の鼻側に２．５ｍｍ移動した位置とした。【０２３９】
図１８（ａ）は、眼鏡レンズ対を作製したときの参照用レンズ、実施例１のレンズ、従来のレンズを装用したときの、鉛直方向の両眼間の視線の向きの差、すなわち上下方向の眼位差の分布を示し、横軸は上記視線の向きの水平方向成分を、縦軸は上記視線の向きの鉛直方向成分を表している。【０２４０】
図１８（ｂ）は、目標物体面２２の奥行き方向の見かけの位置の変化すなわち奥行方向の歪みを示すグラフであり、縦軸は奥行き方向位置情報［ディオプター］を示し、横軸は水平方向の視線の向き［ｔａｎθ］を示す。【０２４１】
図１８（ａ）に示す各分布図の原点は、眼鏡レンズ中心２４０（プリズム測定点）を示す。図１８（ａ）に示す各分布図の横軸上及び縦軸上の位置は、両眼の中心の中点Ｍから見た視線の向きを表している。【０２４２】
図１９（ａ）は、図１８（ｂ）における横軸である水平方向の視線の向きを説明する図である。【０２４３】
図１９（ａ）に示すように、統合眼１２Ｍの中心位置を中心とし、正面視の方向を角度θ＝０とし、正面視の方向から水平方向の側方に進む視線の方向が正面視の方向と成す角度をθとしたとき、水平方向の視線の向きは、ｔａｎθで示される。【０２４４】
つまり、図１８（ａ）に示す領域は、水平方向、鉛直方向に、それぞれ、θ＝±４８度、すなわち９６度の視野角の範囲を表している。例えば、図１８（ａ）において、視線の向きがθ＝４８度のとき、図１８（ｂ）の横軸の値は、ｔａｎθ＝１．１１である。【０２４５】
図１８（ａ）において、等高線のレベルは、両眼間の視線の鉛直方向の眼位差（左眼の視線の向きから右眼の視線の向きを引いたもの）をプリズムディオプトリの単位で示している。この各分布図において、絶対値が小さい程、鉛直方向の眼位差が小さいことを意味する。【０２４６】
図１８（ａ）に示す鉛直方向の両眼間の視線の向きの差（眼位差）の分布では、実施例１の眼鏡レンズの分布は、従来の眼鏡レンズの分布に比べて参照用レンズの分布に近いことを示す。【０２４７】
図１９（ｂ）は、図１８（ｂ）における縦軸である奥行き方向の位置情報を説明する図である。【０２４８】
図１９（ｂ）に示すように、基準交点Ｏを注視するときの両眼間の視線の向きの成す角度（輻輳角）と瞳孔間距離ＰＤの情報とを用いてレンズを通して見える基準交点Ｏの奥行き方向の距離Ｒｃを算出する。【０２４９】
更に、レンズを通して交点Ｐを注視するときの視線の正面視の方向からの角度と瞳孔間距離ＰＤの情報とを用いてレンズを通して見える交点Ｐの奥行き方向の距離Ｒoを算出する。なお、距離Ｒｃ及び距離Ｒｏは、統合眼１２Ｍの中心と基準交点Ｏとを通る鉛直面と統合眼用レンズ１０Ｍが交差する点を基点としたときの距離である。【０２５０】
更に、算出した距離ＲｃとＲｏそれぞれの逆数を求めて、それぞれＤｃ、Ｄｏ［ディオプター］とする。図１８（ｂ）に示すグラフの縦軸である奥行き方向の位置情報［ディオプター］とは、Ｄｃ−Ｄｏのことを示す。Ｄｃ−Ｄｏが小さい程、交点Ｐの奥行き方向の見かけの位置は基準交点Ｏを注視するときの奥行き方向の見かけの位置から相対的にズレていないことを意味する。【０２５１】
また、図１８（ｂ）に示すグラフに示す実施例１のレンズでは、参照用レンズに比べて目標物体面２２の奥行き方向の位置ずれはあるものの、実施例１のレンズにおける奥行き方向の位置の変化量Δ１は、従来のレンズにおける変化量Δ２に比べて小さいことがわかる。【０２５２】
変化量Δ１が小さいことは、レンズを通して見える見かけの目標物体面２０の奥行き方向の見かけの位置の、水平方向に沿った位置による変化が小さいことを示す。したがって、実施例１の眼鏡レンズ対１０を装用した装用者は、奥行方向の像の歪みを感じ難く、さらに不快な装用感を低減することができる。【０２５３】
また、図１８（ｂ）だと、累進屈折力レンズに対応する参照用単焦点レンズの装用時又は裸眼相当時のプロットと交差しない。つまり、実施例１のレンズは、［条件３］を満たす。この点は、後述の実施例２のレンズにおいても同様である。【０２５４】
更に、実施例１においては、上記［条件２］について検討した。実施例１のレンズと従来のレンズにおける水平方向の表面プリズム差分をまとめた。【０２５５】
図２０は、実施例１のレンズおよび従来のレンズにおける、水平方向の表面プリズム差分の変化を示す図であり、縦軸は水平方向の表面プリズム差分［プリズムディオプトリ／ディオプター］、横軸はｙ＝−１４ｍｍ上のｘ座標［ｍｍ］を示す。【０２５６】
図２０に示すように、実施例１のレンズでは、近用部における所定の水平断面（ｙ＝−１４ｍｍ）上での所定箇所γ内のｘ＝０の位置において、水平方向の表面プリズム差分の絶対値が０．２５［プリズムディオプトリ／ディオプター］以上であったが、従来例のレンズではそうではなかった。【０２５７】
なお、後述の実施例２および実施例３においても、図示はしないが図２０に相当するグラフを作成したところ、図２０と同様の関係が得られた。【０２５８】
本発明の一態様に係る累進屈折力レンズの設計方法を採用することにより、実施例１のレンズでは、参照用レンズのように両眼間の鉛直方向の視線の向きを揃えられることがわかった。その結果、装用者に与える不快な装用感を低減させられることがわかった。【０２５９】
（実施例２）
眼鏡レンズ対を作製するための処方情報のうち球面度数Ｓは−４．００Ｄ[ディオプター]とし、加入度ＡＤＤは２．５０Ｄ[ディオプター]とし、累進帯長を１４ｍｍとし、屈折率は１．６０とした。【０２６０】
遠用基準点は、眼鏡レンズ中心２４０から鉛直上方向に８ｍｍ移動した位置とし、近用基準点は、眼鏡レンズ中心２４０から鉛直下方向に１４ｍｍかつ水平方向の鼻側に２．３ｍｍ移動した位置とした。【０２６１】
図２１（ａ）は、眼鏡レンズ対を作製したときの参照用レンズ、実施例２のレンズ、従来のレンズを装用したときの、鉛直方向の両眼間の視線の向きの差、すなわち上下方向の眼位差の分布を示し、横軸は上記視線の向きの水平方向成分を、縦軸は上記視線の向きの鉛直方向成分を表している。【０２６２】
図２１（ｂ）は、目標物体面２２の奥行き方向の見かけの位置の変化すなわち奥行方向の歪みを示すグラフであり、縦軸は奥行き方向位置情報［ディオプター］を示し、横軸は水平方向の視線の向き［ｔａｎθ］を示す。【０２６３】
図２１（ａ）に示す鉛直方向の両眼間の視線の向きの差（眼位差）の分布では、実施例２の眼鏡レンズの分布は、従来の眼鏡レンズの分布に比べて参照用レンズの分布に近いことを示す。【０２６４】
また、図２１（ｂ）に示すグラフに示す実施例２のレンズでは、参照用レンズに比べて目標物体面２２の奥行き方向の位置ずれはあるものの、実施例２のレンズにおける奥行き方向の位置の変化量は、従来のレンズにおける変化量に比べて小さいことがわかる。【０２６５】
本発明の一態様に係る累進屈折力レンズの設計方法を採用することにより、実施例２のレンズでは、参照用レンズのように両眼間の鉛直方向の視線の向きを揃えられることがわかった。その結果、装用者に与える不快な装用感を低減させられることがわかった。【０２６６】
（実施例３）
眼鏡レンズ対を作製するための処方情報のうち球面度数Ｓは０．００Ｄ[ディオプター]とし、加入度ＡＤＤは２．５０Ｄ[ディオプター]とし、累進帯長を１４ｍｍとし、屈折率は１．６０とした。【０２６７】
遠用基準点は、眼鏡レンズ中心２４０から鉛直上方向に８ｍｍ移動した位置とし、近用基準点は、眼鏡レンズ中心２４０から鉛直下方向に１４ｍｍかつ水平方向の鼻側に２．５ｍｍ移動した位置とした。【０２６８】
図２２は、実施例３のレンズおよび従来のレンズにおける、鉛直方向の表面プリズム差分の変化を示す図であり、縦軸は鉛直方向の表面プリズム差分［プリズムディオプトリ／ディオプター］、横軸はｙ＝−１４ｍｍ上のｘ座標［ｍｍ］を示す。なお、先に挙げた図２０は“水平方向”の表面プリズム差分に係る。【０２６９】
図２２が示すように、実施例３の眼鏡レンズの場合、図２１でいうところの第１の領域と第２の領域のうち、一方の領域の最小差分値と他方の領域の最大差分値の差の絶対値が０．２［プリズムディオプトリ／ディオプター］以上である。その一方、従来の眼鏡レンズの場合、上記最小差分値と上記最大差分値の差の絶対値は０．２［プリズムディオプトリ／ディオプター］未満である。【０２７０】
このように、実施例３の累進屈折力レンズの上記最小差分値と上記最大差分値の差の絶対値が、従来の累進屈折力レンズに比べて大きいのは、本発明の一態様に係る累進屈折力レンズの設計方法の手法を採用してレンズ表面形状を調整したためである。具体的には、左眼及び右眼おのおの視線に対するプリズム作用の差を調整したためである。【０２７１】
すなわち、累進屈折力レンズの眼鏡レンズ対において、右眼レンズ３００の原点（中点３０６）を挟んで左方向の領域と左眼レンズ４００の原点（中点４０６）を挟んで左方向の領域の原点から同じ距離の位置におけるプリズム作用の差を、従来の眼鏡レンズ対に比べて増大させ、同様に、右眼レンズ３００の原点（中点３０６）を挟んで右方向の領域と左眼レンズ４００の原点（中点４０６）を挟んで右方向の領域の原点から同じ距離の位置におけるプリズム作用の差を従来の眼鏡レンズ対に比べて増大させたことによる。【０２７２】
これにより、プリズム作用の差を調整することにより不快な装用感のない参照用レンズにおけるプリズム作用の差に近づけることができる。このため、眼鏡レンズの装用者の両眼の視線の向きの差を考慮して、プリズム作用の差によって生じる不快な装用感を低減することができる。【０２７３】
ちなみに、各実施例によれば、図２１に示す差分値の分布を求める領域３１０，４１０の位置は、加入度ＡＤＤの８５％から１００％が達成される位置であることが好ましい。この領域は、特に、プリズム作用の差によって生じる像の歪みや不快な装用感を感じ易い領域であるため、像の歪みや不快な装用感の改善の効果は大きくなる。【０２７４】
＜総括＞
以下、本開示の「累進屈折力レンズの設計方法、製造方法、設計システム、及び累進屈折力レンズ」について総括する。
本開示の一実施例は以下の通りである。
累進屈折力レンズの装用時における、
装用者から有限距離前方且つ装用者の正中面上の箇所Ｏの物体を視認するときの状態Ａと、
前頭面と平行な面であって箇所Ｏを含む面内にて、箇所Ｏと鉛直方向の高さ一定で箇所Ｏの水平方向側方に位置する箇所Ｐの物体を視認するときの状態Ｂとの差Ｖを、
累進屈折力レンズに対応する 参照用単焦点レンズの 装用時又は裸眼相当時における、
箇所Ｏの物体を視認するときの状態Ｃと、
箇所Ｐの物体を視認するときの状態Ｄとの差Ｗに近づけるよう、累進屈折力レンズの表面形状を調整する、累進屈折力レンズの設計方法。
【符号の説明】
【０２７５】
１０  累進屈折力レンズ
１０Ｌ  左眼用レンズ
１０Ｒ  右眼用レンズ
１０Ｍ  統合眼用レンズ
１２Ｌ  左眼
１２Ｒ  右眼
１２Ｍ  統合眼
２０  見かけの目標物体面（見かけ面）
２２  目標物体面（実際面）
３０Ｌ  右眼用の参照用単焦点レンズ
３０Ｒ  左眼用の参照用単焦点レンズ
３０Ｍ  統合眼用単焦点レンズ
５０  システム
５２，５４  眼鏡店端末
５６  レンズ加工装置
６０  眼鏡レンズ対設計装置
６２  ＣＰＵ
６４  ＲＯＭ
６６  ＲＡＭ
６８  通信部
７０  入力操作部
７１  ディスプレイ
７２  ソフトウェアモジュール
７２ａ  統合眼用レンズ設計部
７２ｂ  目標物体面設定部
７２ｃ  レンズ対設計部
７２ｄ  参照用レンズ設計部
７２ｅ  視線計算部
７２ｆ  判定部
７２ｇ  表面形状調整部
７２ｈ  レンズ表面設計部
１００  （従来の）眼鏡レンズ対
１００Ｌ  （従来の）右眼用レンズ
１００Ｒ  （従来の）左眼用レンズ
２００  主注視線
２１０Ｌ  （初期設計した）左眼用レンズ
２１０Ｒ  （初期設計した）右眼用レンズ
２２０  遠用基準点
２３０，３０８，４０８  近用基準点
２４０  眼鏡レンズ中心（プリズム測定点）
３０２，３０４  隠しマーク
３０６，４０６  中点
３１０，４１０  領域
【図１】
2020004620.tif 000003
【図２】
2020004620.tif 000004
【図３】
2020004620.tif 000005
【図４Ａ】
2020004620.tif 000006
【図４Ｂ】
2020004620.tif 000007
【図４Ｃ】
2020004620.tif 000008
【図４Ｄ】
2020004620.tif 000009
【図５】
2020004620.tif 000010
【図６】
2020004620.tif 000011
【図７】
2020004620.tif 000012
【図８Ａ】
2020004620.tif 000013
【図８Ｂ】
2020004620.tif 000014
【図８Ｃ】
2020004620.tif 000015
【図８Ｄ】
2020004620.tif 000016
【図９】
2020004620.tif 000017
【図１０】
2020004620.tif 000018
【図１１】
2020004620.tif 000019
【図１２】
2020004620.tif 000020
【図１３】
2020004620.tif 000021
【図１４】
2020004620.tif 000022
【図１５】
2020004620.tif 000023
【図１６】
2020004620.tif 000024
【図１７】
2020004620.tif 000025
【図１８】
2020004620.tif 000026
【図１９】
2020004620.tif 000027
【図２０】
2020004620.tif 000028
【図２１】
2020004620.tif 000029
【図２２】
2020004620.tif 000030
【国際調査報告】
2020004620.tif 000031
2020004620.tif 000032
2020004620.tif 000033
2020004620.tif 000034